(57)【要約】【課題】外部装置と接続したとき、外部装置から認証情報を取得し、該取得した認証情報を自装置の表示部に表示する。【解決手段】データ表示装置１００は、認証を必要とするサービスを提供する認証サーバ４００にアクセスするためのクライアント装置３００に接続されたデータ読取装置２００に着脱可能であって、表示部１６０と、自装置とデータ読取装置２００とが接続されているとき、認証に用いられる認証情報を表示するための認証表示情報をクライアント装置３００から取得するコマンド処理部１４５と、上記取得した認証表示情報に従って、上記認証情報を表示部１６０に表示させるデータ表示制御部１４１とを備える。【選択図】図１
2010257149.tif 000002
【特許請求の範囲】
【請求項１】
認証を必要とするサービスを提供するサービス提供装置にアクセスするための操作端末に着脱可能な、表示部を備えた表示装置であって、
自装置と上記操作端末とが接続されていることを検知する接続検知手段と、
上記接続検知手段が、自装置と上記操作端末とが接続されていることを検知したとき、上記認証に用いられる認証情報を表示するための認証表示情報を上記操作端末に要求して取得する認証表示情報取得手段と、
上記認証表示情報取得手段が取得した上記認証表示情報に従って、上記認証情報を上記表示部に表示させる表示制御手段とを備えることを特徴とする表示装置。
【請求項２】
上記認証表示情報は、上記表示部にて上記認証情報を表示する表示領域を指定する表示領域情報を含むものであって、
上記表示制御手段は、上記表示領域情報により指定された表示領域に、上記認証情報を表示させることを特徴とする請求項１に記載の表示装置。
【請求項３】
上記表示部の表示面を構成する画素の画素値を保持する画素値保持手段をさらに備え、
上記認証表示情報は、さらに、上記画素値保持手段が保持している画素値を反転させることによって上記認証情報を上記表示部に表示させるための、画素値を反転させる画素を指定する情報を含むものであって、
上記表示制御手段は、上記認証表示情報により指定された画素について、上記画素値保持手段が保持している画素値を反転させて、上記認証情報を上記表示部に表示させることを特徴とする請求項１または２に記載の表示装置。
【請求項４】
自装置の識別情報を記憶する装置識別情報記憶部をさらに備え、
上記認証表示情報取得手段は、
上記装置識別情報記憶部から読み出した上記識別情報を、上記操作端末に送信することによって上記認証表示情報を上記操作端末に要求するとともに、
上記要求に対する応答として、上記識別情報に対応する上記認証情報を表示させるための上記認証表示情報を、上記操作端末から取得することを特徴とする請求項１から３のいずれか１項に記載の表示装置。
【請求項５】
上記取得した認証表示情報が、上記操作端末に上記送信した識別情報を暗号鍵として暗号化されているとき、上記認証表示情報取得手段は、上記取得した認証表示情報を、上記識別情報を復号鍵として復号化することを特徴とする請求項４に記載の表示装置。
【請求項６】
表示部を備えた表示装置が着脱可能であり、認証を必要とするサービスを提供するサービス提供装置にアクセスするための操作端末であって、
上記表示装置からの要求に応じて、上記認証に用いられる認証情報を表示するための認証表示情報を、上記表示装置に送信する認証表示情報送信手段を備えることを特徴とする操作端末。
【請求項７】
上記認証表示情報送信手段は、さらに、上記表示部にて上記認証情報を表示する表示領域を指定する情報を含む上記認証表示情報を生成するとともに、該生成した上記認証表示情報を上記表示装置に送信することを特徴とする請求項６に記載の操作端末。
【請求項８】
上記認証表示情報送信手段は、さらに、上記表示部の表示面を構成する画素の画素値を反転させる画素を指定する情報を含む上記認証表示情報を生成するとともに、該生成した上記認証表示情報を上記表示装置に送信することを特徴とする請求項６または７に記載の操作端末。
【請求項９】
上記表示装置から、上記表示装置の識別情報を受信する装置識別情報受信手段をさらに備え、
上記認証表示情報送信手段は、上記受信した識別情報に対応する上記認証情報を表示するための上記認証表示情報を、上記表示装置に送信することを特徴とする請求項６から８のいずれか１項に記載の操作端末。
【請求項１０】
上記認証表示情報送信手段は、上記受信した識別情報を暗号鍵として、上記認証表示情報を暗号化するとともに、該暗号化した上記認証表示情報を、上記表示装置に送信することを特徴とする請求項９に記載の操作端末。
【請求項１１】
請求項１に記載の表示装置と、請求項６に記載の操作端末とを含むことを特徴とする認証システム。
【発明の詳細な説明】
【技術分野】
【０００１】
本発明は、認証処理に用いられる認証情報を外部から取得して表示する表示装置、および、表示装置に認証情報を提供する操作端末等に関するものである。
【背景技術】
【０００２】
近年、ＦＴＴＨ（Fiber To The Home）などのインターネットアクセス網の普及に伴い、ＰＣ（Personal Computer）やＰＤＡ（Personal Digital Assistant）などのクライアントからインターネット上のサーバにアクセスし、該サーバにて提供される各種サービスを利用するユーザが増加している。インターネット上のサーバにて提供される各種サービスとは、例えば、映像コンテンツ等のＶＯＤ（Video On Demand）サービスや、銀行が提供するネットバンキングサービスなどが挙げられる。
【０００３】
このようなサービスでは、ユーザからの不正なアクセスを防止する仕組みが設けられているのが一般的である。例えば、認証サーバにて、所定の認証情報（パスワードや暗証番号など）を用いたユーザ認証を行なう仕組みが設けられていることが多い。
【０００４】
この場合、通常、ユーザはクライアントにて認証情報を入力する。ここで、ユーザが、クライアントに認証情報を入力する方法としては、例えば、クライアントに表示された入力画面にて認証情報を直接入力する方法や、認証情報を予め記憶させたＩＣカードなどの情報記憶装置をクライアントに接続し、情報記憶装置から認証情報を読み出す方法などが考えられる。また、表示部を備えるＩＣカードであれば、予めＩＣカードに記憶させた認証情報を該表示部に表示させることによって、ユーザに認証情報を知らせることができるので、ユーザはクライアントに認証情報を入力することができる。
【０００５】
なお、表示部を備えたＩＣカードにデータを表示する技術として、特許文献１および２に開示されている技術がある。特許文献１では、各サービスモードに対応するサービス種別を示す識別データを記憶部に記憶するとともに、ユーザに選択されたサービス種別を示す識別データを記憶部から取り出して液晶パネルに表示する技術が開示されている。また、特許文献２では、データを表示するための複数の表示装置、および、各表示装置に対応させた切り替えボタンを設けるとともに、使用状況に応じてＩＣチップに登録されたデータを切り替えて表示させる技術が開示されている。
【先行技術文献】
【特許文献】
【０００６】
【特許文献１】特開２０００−１７２８１８号公報（公開日：平成１２年６月２３日）
【特許文献２】特開２００４−１３３６８号公報（公開日：平成１６年１月１５日）
【発明の概要】
【発明が解決しようとする課題】
【０００７】
ところが、認証情報には、いわゆるワンタイムパスワードのように、認証の都度、認証サーバによって新たに発行されるものがある。この場合、ユーザは、予め認証情報を知り得ることはできないので、認証時に認証サーバにて発行される認証情報を、ユーザに通知する必要がある。ユーザに認証情報を通知する方法としては、例えば、認証サーバからクライアントに認証情報を送信し、クライアントの画面に認証情報を表示させることによって、ユーザに視認させる方法が考えられる。しかしながら、この方法では、例えば、背後にいる他のユーザに、クライアントの画面を閲覧される可能性があるため、悪意あるユーザに認証情報を窃取される危険性があるという問題がある。
【０００８】
そこで、他のユーザが閲覧しにくい表示装置（例えば、表示部を備えたＩＣカード）に認証情報を表示させることによって、他のユーザに認証情報を窃取されないようにしたいというニーズがある。しかしながら、このような技術については、特許文献１および２などには開示されていない。
【０００９】
本発明は、上記の問題点に鑑みてなされたものであり、その目的は、外部装置と接続したとき、外部装置から認証情報を取得し、該取得した認証情報を自装置の表示部に表示する表示装置等を提供することにある。
【課題を解決するための手段】
【００１０】
上記課題を解決するために、本発明に係る表示装置は、認証を必要とするサービスを提供するサービス提供装置にアクセスするための操作端末に着脱可能な、表示部を備えた表示装置であって、自装置と上記操作端末とが接続されていることを検知する接続検知手段と、上記接続検知手段が、自装置と上記操作端末とが接続されていることを検知したとき、上記認証に用いられる認証情報を表示するための認証表示情報を上記操作端末に要求して取得する認証表示情報取得手段と、上記認証表示情報取得手段が取得した上記認証表示情報に従って、上記認証情報を上記表示部に表示させる表示制御手段とを備えることを特徴としている。
【００１１】
上記の構成によれば、表示装置は、自装置と操作端末とが接続されていることを検知する。そして、自装置と操作端末とが接続されていることを検知したとき、認証に用いられる認証情報を表示するための認証表示情報を操作端末に要求して取得する。そして、上記取得した認証表示情報に従って、認証情報を表示部に表示させる。
【００１２】
よって、表示装置と操作端末とを接続したとき、表示装置は、操作端末から認証情報を取得し、該取得した認証情報を表示部に表示させることができる。具体例を挙げれば、表示装置が、表示部を備えるＩＣカードであり、操作端末が、ＩＣカードを装着可能なカードリーダが接続されたＰＣ等である場合、ＩＣカードである表示装置を、カードリーダに接続（装着）することによって、ＰＣ等から認証情報を取得し、該取得した認証情報をＩＣカードの表示部に表示させることができる。
【００１３】
ここで、ＩＣカードの表示部の表示領域は、一般的に、ＰＣ等が備える表示画面の表示領域より小さいものであり、また、ＩＣカードを装着するカードリーダはユーザの手元にあることが多い。そのため、ＩＣカードの表示部に表示した認証情報を他のユーザに閲覧される可能性は、ＰＣ等の表示画面に認証情報を表示する場合と比べて、低くなる。
【００１４】
したがって、他のユーザが認証情報を窃取（盗み見）しにくいことから、他のユーザに認証情報を窃取される危険性を抑えつつ、認証を行なうユーザに認証情報を通知することができるという効果を奏する。
【００１５】
さらに、本発明に係る表示装置は、上記認証表示情報は、上記表示部にて上記認証情報を表示する表示領域を指定する表示領域情報を含むものであって、
上記表示制御手段は、上記表示領域情報により指定された表示領域に、上記認証情報を表示させる構成としてもよい。
【００１６】
上記の構成によれば、さらに、認証表示情報は、上記表示部にて認証情報を表示する表示領域を指定する表示領域情報を含むものである。そして、表示領域情報にて指定された表示領域に、認証情報を表示させる。
【００１７】
よって、表示領域情報にて指定された表示領域に認証情報を表示させるので、表示領域情報にて指定された表示領域以外の表示領域には、認証情報以外の情報を表示させることができる。さらに、表示部が、いわゆる画素メモリ内蔵液晶表示装置（つまり、画素毎に設けられたデジタルメモリ素子の出力電圧を保持することによって、データ信号線および走査信号線への信号を停止しても画像を表示し続けることができる表示装置）である場合、表示領域情報にて指定された表示領域以外の表示領域に表示されている画像を表示し続けたまま、表示領域情報にて指定された表示領域に認証情報を表示させることができる。
【００１８】
したがって、表示部に、認証情報を表示させるとともに、認証情報以外の情報を表示させることができるという効果を奏する。
【００１９】
さらに、本発明に係る表示装置は、上記表示部の表示面を構成する画素の画素値を保持する画素値保持手段をさらに備え、上記認証表示情報は、さらに、上記画素値保持手段が保持している画素値を反転させることによって上記認証情報を上記表示部に表示させるための、画素値を反転させる画素を指定する情報を含むものであって、上記表示制御手段は、上記認証表示情報により指定された画素について、上記画素値保持手段が保持している画素値を反転させて、上記認証情報を上記表示部に表示させる構成としてもよい。
【００２０】
上記の構成によれば、さらに、表示部の表示面を構成する画素の画素値を保持する。そして、認証表示情報は、さらに、上記保持している画素値を反転させることによって認証情報を表示部に表示させるための、画素値を反転させる画素を指定する情報を含んでいる。そして、上記認証表示情報により指定された画素について、上記保持している画素値を反転させて、認証情報を表示部に表示させる。
【００２１】
よって、認証表示情報は、認証情報そのものを表示するための情報ではなく、表示部に現在表示されている画像のうち、どの画素の画素値を反転させるかを示す情報である。そして、上記認証表示情報に従って、表示部に現在表示されている画像のうち、指定された画素値を反転させることによって、認証情報を表示部に表示させることができる。
【００２２】
したがって、悪意あるユーザに認証表示情報が窃取された場合であっても、当該ユーザは認証表示情報のみから認証情報を知り得ることができないので、認証情報が漏洩する危険性を抑えることができ、セキュリティのレベルを高めることができるという効果を奏する。
【００２３】
さらに、本発明に係る表示装置は、自装置の識別情報を記憶する装置識別情報記憶部をさらに備え、上記認証表示情報取得手段は、上記装置識別情報記憶部から読み出した上記識別情報を、上記操作端末に送信することによって上記認証表示情報を上記操作端末に要求するとともに、上記要求に対する応答として、上記識別情報に対応する上記認証情報を表示させるための上記認証表示情報を、上記操作端末から取得する構成としてもよい。
【００２４】
上記の構成によれば、さらに、自装置の識別情報を記憶する。そして、識別情報を、操作端末に送信することによって認証表示情報を操作端末に要求するとともに、該要求に対する応答として、識別情報に対応する認証表示情報を、操作端末から取得する。
【００２５】
よって、表示装置の識別情報に対応する認証情報を、表示部に表示させることができる。
【００２６】
したがって、表示装置毎に異なる認証情報を、表示装置のユーザに提示することができるので、表示装置を使用するユーザが固定されている場合は、他の表示装置を使用するユーザに認証情報が漏洩する危険性を抑えることができ、セキュリティのレベルを高めることができるという効果を奏する。
【００２７】
さらに、本発明に係る表示装置は、上記取得した認証表示情報が、上記操作端末に上記送信した識別情報を暗号鍵として暗号化されているとき、上記認証表示情報取得手段は、上記取得した認証表示情報を、上記識別情報を復号鍵として復号化する構成としてもよい。
【００２８】
上記の構成によれば、認証表示情報が、操作端末に送信した識別情報を暗号鍵として暗号化されているとき、操作端末から取得した認証表示情報を、識別情報を復号鍵として復号化する。
【００２９】
よって、認証表示情報は、操作端末から表示装置に送信される際は暗号化され、また、表示装置にて表示部に認証情報を表示する際は復号化される。
【００３０】
したがって、認証表示情報が操作端末から表示装置に送信されている間に、悪意あるユーザによって認証表示情報が窃取された場合であっても、認証表示情報は暗号化されているため、認証情報が漏洩する危険性を抑えることができ、セキュリティのレベルを高めることができるという効果を奏する。
【００３１】
また、本発明に係る操作端末は、表示部を備えた表示装置が着脱可能であり、認証を必要とするサービスを提供するサービス提供装置にアクセスするための操作端末であって、上記表示装置からの要求に応じて、上記認証に用いられる認証情報を表示するための認証表示情報を、上記表示装置に送信する認証表示情報送信手段を備えることを特徴としている。
【００３２】
上記の構成によれば、表示装置からの要求に応じて、認証に用いられる認証情報を表示するための認証表示情報を、表示装置に送信する。
【００３３】
よって、表示装置が操作端末と接続したときに、表示装置から要求があった場合、認証表示情報を、表示装置に送信することができる。具体例を挙げれば、表示装置が、表示部を備えたＩＣカードであり、操作端末が、ＩＣカードを装着可能なカードリーダが接続されたＰＣである場合、ＩＣカードである表示装置を、カードリーダに接続（装着）したときに、ＩＣカードから要求があれば、認証情報をＩＣカードに送信することができる。
【００３４】
ここで、ＩＣカードの表示部の表示領域は、一般的に、ＰＣ等が備える表示画面の表示領域より小さいものであり、また、ＩＣカードを装着するカードリーダはユーザの手元にあることが多い。そのため、ＩＣカードの表示部に表示した認証情報を他のユーザに閲覧される可能性は、ＰＣ等の表示画面に認証情報を表示する場合と比べて、低くなる。
【００３５】
したがって、他のユーザが認証情報を窃取（盗み見）しにくいことから、他のユーザに認証情報を窃取される危険性を抑えつつ、認証を行なうユーザに認証情報を通知することができるという効果を奏する。
【００３６】
さらに、本発明に係る操作端末は、上記認証表示情報送信手段は、さらに、上記表示部にて上記認証情報を表示する表示領域を指定する情報を含む上記認証表示情報を生成するとともに、該生成した上記認証表示情報を上記表示装置に送信する構成としてもよい。
【００３７】
上記の構成によれば、さらに、表示装置の表示部にて認証情報を表示する表示領域を指定する情報を含む認証表示情報を生成するとともに、該生成した認証表示情報を送信する。
【００３８】
よって、表示装置の表示部のうち、認証表示情報により指定された表示領域に認証情報を表示させることができる。そのため、該指定された表示領域以外の表示領域には、認証情報以外の情報を表示させることができる。さらに、表示装置の表示部が、いわゆる画素メモリ内蔵液晶表示装置（つまり、画素毎に設けられたデジタルメモリ素子の出力電圧を保持することによって、データ信号線および走査信号線への信号を停止しても画像を表示し続けることができる表示装置）である場合、指定された表示領域以外の表示領域に表示されている画像を表示し続けたまま、指定された表示領域に認証情報を表示させることができる。
【００３９】
したがって、表示装置の表示部に、認証情報を表示させるとともに、認証情報以外の情報を表示させることができるという効果を奏する。
【００４０】
さらに、本発明に係る操作端末は、上記認証表示情報送信手段は、さらに、上記表示部の表示面を構成する画素の画素値を反転させる画素を指定する情報を含む上記認証表示情報を生成するとともに、該生成した上記認証表示情報を上記表示装置に送信する構成としてもよい。
【００４１】
上記の構成によれば、さらに、上記表示部の表示面を構成する画素の画素値を反転させる画素を指定する情報を含む認証表示情報を生成するとともに、該生成した認証表示情報を送信する。
【００４２】
よって、認証情報そのものを表示するための情報ではなく、表示部に現在表示されている画像のうち、どの画素の画素値を反転させれば、認証情報を表示させることができるかが示された情報が、表示装置に送信される。そして、表示装置は、認証表示情報に従って、表示装置の表示部に現在表示されている画像のうち、指定された画素値を反転させることによって、認証情報を表示部に表示させることができる。
【００４３】
したがって、悪意あるユーザに認証表示情報が窃取された場合であっても、当該ユーザは認証表示情報のみから認証情報を知り得ることができないので、認証情報が漏洩する危険性を抑えることができるという効果を奏する。
【００４４】
さらに、本発明に係る操作端末は、上記表示装置から、上記表示装置の識別情報を受信する装置識別情報受信手段をさらに備え、上記認証表示情報送信手段は、上記受信した識別情報に対応する上記認証情報を表示するための上記認証表示情報を、上記表示装置に送信する構成としてもよい。
【００４５】
上記の構成によれば、さらに、表示装置の識別情報を受信する。そして、該受信した識別情報に対応する認証情報を表示するための認証表示情報を、表示装置に送信する。
【００４６】
よって、表示装置の識別情報に対応する認証情報を、表示装置の表示部に表示させることができる。
【００４７】
したがって、表示装置毎に異なる認証情報を、表示装置のユーザに提示することができるので、表示装置を使用するユーザが固定されている場合は、他の表示装置を使用するユーザに認証情報が漏洩する危険性を抑えることができ、セキュリティのレベルを高めることができるという効果を奏する。
【００４８】
さらに、本発明に係る操作端末は、上記認証表示情報送信手段は、上記受信した識別情報を暗号鍵として、上記認証表示情報を暗号化するとともに、該暗号化した上記認証表示情報を、上記表示装置に送信する構成としてもよい。
【００４９】
上記の構成によれば、さらに、表示装置から受信した識別情報を暗号鍵として、認証表示情報を暗号化するとともに、該暗号化した認証表示情報を、表示装置に送信する。
【００５０】
よって、認証表示情報は、操作端末から表示装置に送信される際は暗号化される。
【００５１】
したがって、認証表示情報が操作端末から表示装置に送信されている間に、悪意あるユーザによって認証表示情報が窃取された場合であっても、認証表示情報は暗号化されているため、認証情報が漏洩する危険性を抑えることができ、セキュリティのレベルを高めることができるという効果を奏する。
【００５２】
なお、表示装置から受信した識別情報を暗号鍵としているので、上記暗号化された認証表示情報を受信した表示装置は、自装置の識別情報を復号鍵として認証表示情報を復号化することができる。
【００５３】
また、本発明に係る認証システムは、上記表示装置と、上記操作端末とを含むことを特徴としている。
【００５４】
上記の構成によれば、表示装置は、自装置と上記操作端末とが接続されていることを検知する。そして、自装置と操作端末とが接続されていることを検知したとき、認証に用いられる認証情報を表示するための認証表示情報を操作端末に要求して取得する。そして、上記取得した認証表示情報に従って、認証情報を表示部に表示させる。一方、操作端末は、表示装置からの要求に応じて、認証に用いられる認証情報を表示するための認証表示情報を、表示装置に送信する。
【００５５】
よって、表示装置と操作端末とを接続したとき、表示装置は、操作端末から認証情報を取得し、該取得した認証情報を表示部に表示させることができる。具体例を挙げれば、表示装置が、表示部を備えたＩＣカードであり、操作端末が、カードリーダが接続されたＰＣ等である場合、ＩＣカードである表示装置を、カードリーダに接続（装着）することによって、ＰＣ等から認証情報を取得し、該取得した認証情報をＩＣカードの表示部に表示させることができる。
【００５６】
したがって、認証情報を操作端末に表示させる代わりに、表示装置の表示部に表示するので、他のユーザに認証情報を窃取（盗み見）される危険性を抑えつつ、認証を行なうユーザに認証情報を通知することができるという効果を奏する。
【００５７】
なお、上記表示装置および上記操作端末は、コンピュータによって実現してもよく、この場合には、コンピュータを上記各手段として動作させることにより上記表示装置および上記操作端末をコンピュータにて実現させる上記表示装置および上記操作端末の制御プログラム、およびそれを記録したコンピュータ読み取り可能な記録媒体も、本発明の範疇に入る。
【発明の効果】
【００５８】
以上のように、本発明に係る表示装置は、認証を必要とするサービスを提供するサービス提供装置にアクセスするための操作端末に着脱可能な、表示部を備えた表示装置であって、自装置と上記操作端末とが接続されていることを検知する接続検知手段と、上記接続検知手段が、自装置と上記操作端末とが接続されていることを検知したとき、上記認証に用いられる認証情報を表示するための認証表示情報を上記操作端末に要求して取得する認証表示情報取得手段と、上記認証表示情報取得手段が取得した上記認証表示情報に従って、上記認証情報を上記表示部に表示させる表示制御手段とを備えている。
【００５９】
よって、表示装置と操作端末とを接続したとき、表示装置は、操作端末から認証情報を取得し、該取得した認証情報を表示部に表示させることができる。具体例を挙げれば、表示装置が、表示部を備えるＩＣカードであり、操作端末が、ＩＣカードを装着可能なカードリーダが接続されたＰＣ等である場合、ＩＣカードである表示装置を、カードリーダに接続（装着）することによって、ＰＣ等から認証情報を取得し、該取得した認証情報をＩＣカードの表示部に表示させることができる。
【００６０】
ここで、ＩＣカードの表示部の表示領域は、一般的に、ＰＣ等が備える表示画面の表示領域より小さいものであり、また、ＩＣカードを装着するカードリーダはユーザの手元にあることが多い。そのため、ＩＣカードの表示部に表示した認証情報を他のユーザに閲覧される可能性は、ＰＣ等の表示画面に認証情報を表示する場合と比べて、低くなる。
【００６１】
したがって、他のユーザが認証情報を窃取（盗み見）しにくいことから、他のユーザに認証情報を窃取される危険性を抑えつつ、認証を行なうユーザに認証情報を通知することができるという効果を奏する。
【００６２】
また、本発明に係る操作端末は、表示部を備えた表示装置が着脱可能であり、認証を必要とするサービスを提供するサービス提供装置にアクセスするための操作端末であって、上記表示装置からの要求に応じて、上記認証に用いられる認証情報を表示するための認証表示情報を、上記表示装置に送信する認証表示情報送信手段を備えている。
【００６３】
よって、表示装置が操作端末と接続したときに、表示装置から要求があった場合、認証表示情報を、表示装置に送信することができる。具体例を挙げれば、表示装置が、表示部を備えたＩＣカードであり、操作端末が、ＩＣカードを装着可能なカードリーダが接続されたＰＣである場合、ＩＣカードである表示装置を、カードリーダに接続（装着）したときに、ＩＣカードから要求があれば、認証情報をＩＣカードに送信することができる。
【００６４】
ここで、上述したように、ＩＣカードの表示部に表示した認証情報を他のユーザに閲覧される可能性は、ＰＣ等の表示画面に認証情報を表示する場合と比べて、低くなる。
【００６５】
したがって、他のユーザが認証情報を窃取（盗み見）しにくいことから、他のユーザに認証情報を窃取される危険性を抑えつつ、認証を行なうユーザに認証情報を通知することができるという効果を奏する。
【図面の簡単な説明】
【００６６】
【図１】本発明の一実施形態に係るデータ表示装置の詳細構成を示すブロック図である。
【図２】図１に示したデータ表示装置が備える画素メモリ内蔵液晶パネルの構成例を示す回路図である。
【図３】図２に示した画素メモリ内蔵液晶パネルにおける、走査信号線に走査信号が入力されることによって、データ信号線に入力されたデータ信号がデジタルメモリ素子にラッチされたときの、走査信号と、デジタルメモリ素子の出力電圧との関係を示す図である。
【図４】図４（ａ）は、図２に示した画素メモリ内蔵液晶パネルが備えるデジタルメモリ素子の出力電圧と、液晶セルに印加される電圧との関係の一例を示す図である。図４（ｂ）は、図２に示した画素メモリ内蔵液晶パネルが備えるデジタルメモリ素子の出力電圧と、液晶セルに印加される電圧との関係の他の一例を示す図である。
【図５】図１に示したデータ表示装置を含む認証システムの構成例を示す模式図である。
【図６】図１に示したデータ表示装置の一例を示す模式図である。
【図７】図５に示した認証システムにて、ユーザが認証を行なう際の処理の流れの概要を示すシーケンス図である。
【図８】図５に示した認証システムにおいて、データ表示装置とクライアント装置との間でやりとりされる通信コマンドと、通信コマンドの「コマンド種別」フィールドに格納される値（ビット列）との対応関係を示す説明図である。
【図９】図５に示した認証システムにおいて、データ表示装置とクライアント装置との間でやりとりされる通信コマンドの１種であるＩＤ送信コマンドのフレーム構造を模式的に示す図である。
【図１０】図５に示した認証システムにおいて、データ表示装置とクライアント装置との間でやりとりされる通信コマンドの１種である書換要求コマンドのフレーム構造を模式的に示す図である。
【図１１】図５に示した認証システムにおいて、データ表示装置とクライアント装置との間でやりとりされる通信コマンドの１種である書換失敗コマンドのフレーム構造を模式的に示す図である。
【図１２】図５に示した認証システムにおいて、データ表示装置とクライアント装置との間でやりとりされる通信コマンドの１種である書換成功コマンドのフレーム構造を模式的に示す図である。
【図１３】図５に示した認証システムにおいて、データ表示装置とクライアント装置との間でやりとりされる通信コマンドの１種であるスルー表示切替コマンドのフレーム構造を模式的に示す図である。
【図１４】図１４（ａ）は、図５に示した認証システムにおいて、クライアント装置から、データ表示装置の制御部を介さずに、直接、データ表示装置の表示部に出力されるデータのフレーム構造の一例を模式的に示す図である。図１４（ｂ）は、図５に示した認証システムにおいて、クライアント装置から、データ表示装置の制御部を介さずに、直接、データ表示装置の表示部に出力されるデータのフレーム構造の他の一例を模式的に示す図である。図１４（ｃ）は、図５に示した認証システムにおいて、クライアント装置から、データ表示装置の制御部を介さずに、直接、データ表示装置の表示部に出力されるデータのフレーム構造の他の一例を模式的に示す図である。
【図１５】図５に示した認証システムにおいて、データ表示装置とクライアント装置との間でやりとりされる通信コマンドの１種である復号表示コマンドのフレーム構造を模式的に示す図である。
【図１６】図５に示した認証システムにおいて、データ表示装置とクライアント装置との間でやりとりされる通信コマンドの１種である復号表示／反転コマンドのフレーム構造を模式的に示す図である。
【図１７】本発明の一実施形態に係るクライアント装置の詳細構成を示すブロック図である。
【図１８】図５に示した認証システムにおいて、データ表示装置とクライアント装置との間でやりとりされる通信コマンドの送受信例の概略を示すシーケンス図である。
【図１９】図１に示したデータ表示装置における処理の流れを示すフローチャートである。
【図２０】図１９に示した処理のうちの記憶部書換処理の流れを示すフローチャートである。
【図２１】図１９に示した処理のうちの復号表示処理の流れを示すフローチャートである。
【図２２】図１９に示した処理のうちのスルー表示切替処理の流れを示すフローチャートである。
【図２３】図１７に示したクライアント装置における処理の流れを示すフローチャートである。
【図２４】図２３に示した処理のうちの記憶部書換指示処理の流れを示すフローチャートである。
【図２５】図２３に示した処理のうちの表示部更新処理の流れを示すフローチャートである。
【図２６】図２３に示した処理のうちの復号表示データ送信処理の流れを示すフローチャートである。
【図２７】図２３に示した処理のうちのスルー表示データ送信処理の流れを示すフローチャートである。
【図２８】図１に示したデータ表示装置が備える画素メモリ内蔵液晶パネルの他の構成例を示す回路図である。
【図２９】図２９（ａ）は、図２８に示した画素メモリ内蔵液晶パネルに、最終的に表示させる画像を示す模式図である。図２９（ｂ）は、図２８に示し画素メモリ内蔵液晶パネルに現在表示されている画像を示す模式図である。図２９（ｃ）は、図２９（ｂ）に示す画像が画素メモリ内蔵液晶パネルに表示されている状態において、最終的に、図２９（ａ）に示す画像を画素メモリ内蔵液晶パネルに表示するために、メモリデータ反転モードで、画素メモリ内蔵液晶パネルに出力するデータを示す模式図である。図２９（ｄ）は、図２９（ａ）で示した画素の値を２値で示した模式図である。図２９（ｅ）は、図２９（ｂ）で示した画素の値を２値で示した模式図である。図２９（ｆ）は、図２９（ｃ）で示した画素の値を２値で示した模式図である。
【発明を実施するための形態】
【００６７】
本発明の一実施形態について図１から図２９に基づいて説明すると以下の通りである。
【００６８】
本実施の形態に係るデータ表示装置（表示装置）１００は、概略的に言えば、低消費電力で画像を表示し続けることができる画素メモリ内蔵液晶パネル（表示面）１６１（図２参照）を備えており、データ読取装置２００（図５参照）と通信可能に接続されている場合、データ読取装置２００から受信したデータに基づいて、画素メモリ内蔵液晶パネル１６１に画像を表示する装置である。
【００６９】
なお、本実施の形態では、データ表示装置１００を、画素メモリ内蔵液晶パネル１６１を備えたＩＣカードに適用するケースを例に挙げて説明する。そして、ＩＣカードとしてのデータ表示装置１００を含む認証システム１０００（図５参照）において認証を行なうために、データ表示装置１００の画素メモリ内蔵液晶パネル１６１に、認証で用いる認証情報（パスワードなど）を表示するケースを例に挙げて説明する。
【００７０】
（画素メモリ内蔵液晶パネルの構成）
画素メモリ内蔵液晶パネル１６１は、画素毎に設けられたデジタルメモリ素子の出力電圧を保持することによって、データ信号線および走査信号線への信号を停止しても、画像を表示し続けることができる液晶パネルである。
【００７１】
図２を参照しながら、画素メモリ内蔵液晶パネル１６１の構成例について説明する。図２は、画素メモリ内蔵液晶パネル１６１の構成例を示す回路図である。
【００７２】
画素メモリ内蔵液晶パネル１６１は、同図に示すように、画素毎に、画素部スイッチ素子（ＭＯＳ  ＦＥＴ）６１１と、デジタルメモリ素子（インバータ回路）６１２および６１３と、液晶セル（液晶容量）６１４と、付加回路（エクスクルーシブＮＯＲ回路）６１５とを備えている。なお、デジタルメモリ素子６１２および６１３を総称して、デジタルメモリ素子（画素値保持手段）６１８と称する。
【００７３】
さらに、画素メモリ内蔵液晶パネル１６１は、同図に示すように、各画素の液晶セル６１４を交流で駆動させるための交流駆動用クロック６１６および共通電極端子（ＣＯＭ）６１７を備えている。
【００７４】
そして、画素部スイッチ素子６１１のゲート端子は、走査信号線ｘｉ（ｉ＝１、２、…、ｎ；ｎは正の整数を示す）に接続されており、また、画素部スイッチ素子６１１のソース端子は、データ信号線ｙｉ（ｉ＝１、２、…、ｍ；ｍは正の整数を示す）に接続されている。
【００７５】
上記構成により、走査信号線ｘｉに走査信号が入力されることによって、データ信号線ｙｉに入力されるデータ信号が、デジタルメモリ素子６１８にラッチされるとともに、該ラッチされたデータ信号（画素値）が、付加回路６１５を介して、液晶セル６１４に書き込まれる。
【００７６】
そして、デジタルメモリ素子６１８へ入力される信号が変化しない間は、デジタルメモリ素子６１８の出力電圧は、前の状態を保持するようになっている。したがって、データ信号線ｙｉおよび走査信号線ｘｉへの信号の入力を停止しても、デジタルメモリ素子６１８の出力電圧は保持されるので、画素メモリ内蔵液晶パネル１６１は、画像を表示し続けることができる。
【００７７】
なお、画素メモリ内蔵液晶パネル１６１は、走査信号を入力する走査信号線を指定することによって、該指定した走査信号線が接続している画素群にのみ、画像を表示させることも可能であるし、また、データ信号を入力するデータ信号線を指定することによって、該指定したデータ信号線が接続している画素群にのみ、画像を表示させることも可能である。
【００７８】
次に、図３を参照しながら、走査信号線ｘｉに走査信号が入力されることによって、データ信号線ｙｉに入力されたデータ信号がデジタルメモリ素子６１８にラッチされたときの、走査信号とデジタルメモリ素子６１８の出力電圧ＥＰ１との関係について説明する。
【００７９】
図３は、走査信号線ｘｉに走査信号が入力されることによって、データ信号線ｙｉに入力されたデータ信号がデジタルメモリ素子６１８にラッチされたときの、走査信号と、デジタルメモリ素子６１８の出力電圧ＥＰ１との関係を示す図である。
【００８０】
データ信号線ｙｉにＨｉｇｈレベル（Ｖ）のデータ信号が入力されている状態において、走査信号線ｘｉにＬｏｗレベル（０）の走査信号が入力されると、デジタルメモリ素子６１８の出力電圧がＨｉｇｈレベルとなる。そして、走査信号がＨｉｇｈレベルに変化するタイミングで、デジタルメモリ素子６１８の出力電圧はＨｉｇｈレベルに固定される。そして、次に走査信号がＬｏｗレベルになるまで、デジタルメモリ素子６１８の出力電圧は保持される。
【００８１】
このように、デジタルメモリ素子６１８は、走査信号線ｘｉの走査信号がＬｏｗレベルになるまで、前の出力電圧を保持する。
【００８２】
次に、図４（ａ）および（ｂ）を参照しながら、デジタルメモリ素子６１８の出力電圧と、液晶セル６１４に印加される電圧との関係について説明する。図４（ａ）および（ｂ）は、いずれも、デジタルメモリ素子６１８の出力電圧と、液晶セル６１４に印加される電圧との関係の一例を示す図である。
【００８３】
デジタルメモリ素子の出力電圧がＨｉｇｈレベルのとき，交流駆動用クロック６１６の出力電圧ＥＰ２に対して、反転した出力電圧ＥＰ３が、付加回路６１５の出力電圧として得られる。したがって、液晶セル６１４には、交流駆動用クロック６１６の出力電圧ＥＰ２と付加回路６１５の出力電圧ＥＰ３との差分である電圧ＥＰ４が印加される（図４（ａ）参照）。
【００８４】
一方、デジタルメモリ素子６１８の出力がＬｏｗレベルのとき，交流駆動用クロック６１６の出力電圧ＥＰ２と同相の電圧ＥＰ５が、付加回路６１５の出力電圧として得られる。この場合、交流駆動用クロック６１６の出力電圧ＥＰ２と付加回路６１５の出力電圧ＥＰ３との差分であるＥＰ６は、常にＬｏｗレベルとなる（図４（ｂ）参照）。したがって、液晶セル６１４には、電圧が印加されない。
【００８５】
以上のように、画素メモリ内蔵液晶パネル１６１では、データを静止画像として継続して表示する場合、画素部スイッチ素子６１１、並びに、デジタルメモリ素子６１８をスイッチングさせる必要がない。そのため、画素メモリ内蔵液晶パネル１６１では、低消費電力化を実現することができる。
【００８６】
（データ表示装置を含む認証システムの構成例）
次に、図５を参照しながら、認証システム１０００の構成例について説明する。図５は、認証システム１０００の構成例を示す模式図である。
【００８７】
同図に示すとおり、認証システム１０００は、データ表示装置１００、データ読取装置２００、クライアント装置３００、および、認証サーバ（サービス提供装置）４００を含んでいる。
【００８８】
クライアント装置３００と認証サーバ４００とは、一般的に知られている通信ネットワーク５００を介して通信可能に接続される。また、クライアント装置３００とデータ読取装置２００とは、一般的に知られている通信ケーブル（ＵＳＢ等）を介して通信可能に接続される。また、データ表示装置１００は、データ読取装置２００に着脱可能な構成になっており、データ表示装置１００をデータ読取装置２００に接続（装着）することにより、データ表示装置１００とデータ読取装置２００とは相互に通信等を行なうことができる。その結果、データ表示装置１００とクライアント装置３００とは、データ読取装置２００を介して、相互に通信することができる。
【００８９】
なお、本実施の形態では、データ表示装置１００とクライアント装置３００とは、後述する通信コマンドを用いて相互に通信する。ただし、クライアント装置３００から、データ表示装置１００の制御部１４０を介さずに、直接、データ表示装置１００の表示部１６０に出力するデータについては、通信コマンドを用いずに、該データのみを送信する。これらの詳細については、後述する。
【００９０】
次に、データ表示装置１００、データ読取装置２００、クライアント装置３００、および、認証サーバ４００のぞれぞれの概要を説明する。
【００９１】
データ表示装置１００は、上述したようにＩＣカードであり、データ読取装置２００に着脱可能な構成になっている。データ表示装置１００は、一般的に知られているＩＣカードが備える機能を具備する他、画素メモリ内蔵液晶パネル１６１を備える表示部１６０、データ読取装置２００との接続端子である端子部１７０等を備えている。表示部１６０は、自装置に記憶しているユーザの氏名や、認証サーバ４００が生成した認証情報等を表示する。データ表示装置１００の詳細な構成については後述する。
【００９２】
次に、データ読取装置２００は、一般的に知られているカードリーダを想定しており、少なくとも、一般的に知られているＩＣカードが備える機能を具備する。
【００９３】
次に、認証サーバ４００は、認証を必要とするサービスを提供するとともに、認証情報を用いて上記認証に関する処理を行なうサーバ装置である。認証サーバ４００は、認証情報を所定情報に基づいて生成し、該生成した認証情報をクライアント装置３００に送信する。ここで、上記所定情報とは、データ表示装置１００の識別情報（具体的には、データ表示装置１００を一意に識別可能なＩＤ）である。つまり、認証情報は、データ表示装置１００毎に、一意に生成されるものである。
【００９４】
なお、本実施の形態では、認証サーバ４００が生成する認証情報は、いわゆるワンタイムパスワード（以下、単にパスワードと表記する）を想定している。すなわち、認証サーバ４００は、例えば時刻によって値が変わる認証情報を生成する。ただし、認証情報は、ワンタイムパスワードに限定されるものではなく、認証に用いることができる情報であればどのような情報であってもよい。
【００９５】
また、認証サーバ４００は、ユーザがクライアント装置３００にて入力した認証情報を、クライアント装置３００から受信し、該受信した認証情報が正しいか否かを調べる。具体的には、クライアント装置３００から受信した認証情報と、自装置で生成した認証情報とのマッチングを行なう。そして、上記受信した認証情報が正しい場合は、認証後に行なわれる各処理（具体的には、Ｗｅｂページの提供等）を実行する。なお、上記受信した認証情報が正しくない場合は、認証情報の再入力をユーザに求めてもよいし、認証処理を中止してもよい。
【００９６】
次に、クライアント装置３００は、ユーザが使用する、ＰＣ、ＰＤＡなどの情報処理装置であり、認証サーバ４００にて提供されるサービスをユーザが利用するために、認証サーバ４００にアクセスするための装置である。
【００９７】
クライアント装置３００は、認証に用いられる認証情報を認証サーバ４００から取得する。そして、クライアント装置３００は、認証サーバ４００から認証情報を受信すると、該受信した認証情報を、（１）クライアント装置３００の表示部に表示するか、または、（２）データ読取装置２００を介してデータ表示装置１００に送信し、データ表示装置１００の表示部１６０に表示させる。ここで、上記（１）および上記（２）のいずれにするかは、データ表示装置１００が表示部を有するか否かを示す情報に基づいて判定する。これについては、後述で詳細に述べる。
【００９８】
そして、クライアント装置３００は、ユーザからの認証情報の入力を受け付け、該受け付けた認証情報を認証サーバ４００に送信する。
【００９９】
なお、認証サーバ４００に、データ表示装置１００の識別情報に基づいて認証情報を生成させるために、クライアント装置３００は、データ読取装置２００を介してデータ表示装置１００からデータ表示装置１００のＩＤを取得し、該取得したデータ表示装置１００のＩＤを認証サーバ４００に送信する。
【０１００】
クライアント装置３００の詳細な構成については後述する。
【０１０１】
なお、上述した認証システム１０００は、一般的な構成例とするために、カードリーダとしてのデータ読取装置２００と、ＰＣ等としてのクライアント装置３００とをそれぞれ含む構成としたが、この構成に限定されるものではない。データ読取装置２００およびクライアント装置３００を含む代わりに、データ読取装置２００とクライアント装置３００とを一体とした装置（以下、データ読取／クライアント装置）を含む構成としてもよい。この場合、データ読取／クライアント装置は、データ読取装置２００およびクライアント装置３００の機能を具備している。そして、データ表示装置１００は、データ読取／クライアント装置に着脱可能な構成となっており、データ表示装置１００が、データ読取／クライアント装置に接続（装着）されているとき、データ表示装置１００は、端子部１７０を介して、データ読取／クライアント装置と相互に通信等を行なう。
【０１０２】
また、特許請求の範囲の記載では、データ読取装置２００とクライアント装置３００とが接続されているとき、データ読取装置２００とクライアント装置３００とを１つの装置とみなして、「操作端末」と表記している。
【０１０３】
（発明の要旨）
データ表示装置１００は、データ表示装置１００は、データ読取装置２００に接続されている場合、データ読取装置２００から受信するデータに基づいて、表示部１６０に画像を表示する。具体的には、認証サーバ４００にて生成される認証情報を表示するためのデータを、クライアント装置３００およびデータ読取装置２００を介して受信し、該受信したデータに基づいて、表示部１６０に認証情報を表示する。
【０１０４】
一方、データ読取装置２００に接続されていない場合、データ表示装置１００は、自装置に予め記憶されている情報に基づいて、表示部１６０に画像を表示する。例えば、データ表示装置１００を所有するユーザのユーザ情報（例えば、氏名、住所、所属部署名、顔写真など）が予め自装置に記憶されている場合、該ユーザ情報を表示部１６０に表示する。
【０１０５】
また、クライアント装置３００は、データ表示装置１００の表示部１６０に認証情報を表示するためのデータを送信する場合、画素メモリ内蔵液晶パネル１６１を構成する全てのライン（後述する）に画像を表示するためのデータを送信するのではなく、認証情報を表示する対象となる１または複数のラインに画像を表示するためのデータ（以下、ラインデータとも表記する）（認証表示情報）を送信する。ラインデータは、画素メモリ内蔵液晶パネル１６１を構成するラインのうち、認証情報の表示対象となるライン（表示領域）を指定するとともに、各ラインに表示するデータを含んだものである。そして、データ表示装置１００は、ラインデータに基づいて、表示部１６０に認証情報を表示する。つまり、画素メモリ内蔵液晶パネル１６１を構成するラインのうち、ラインデータに指定された各ラインにデータを出力することによって、表示部１６０に認証情報を表示する。
【０１０６】
なお、本実施の形態において、「ライン」とは、画素メモリ内蔵液晶パネル１６１を構成する走査信号線ｘｉに接続される画素群で構成される行のそれぞれを意味するものとする。
【０１０７】
さらに、クライアント装置３００の指示によって、データ表示装置１００の表示部１６０に画像が現在表示されている場合において、クライアント装置３００からデータ表示装置１００に認証情報を表示させるとき、クライアント装置３００は、上記現在表示させている画像と、上記表示させる認証情報との差分画像を表示部１６０に出力するためのラインデータを、データ表示装置１００に送信する。そして、データ表示装置１００は、上記差分画像を出力するためのラインデータに基づいて、表示部１６０に表示する画像を更新する。
【０１０８】
さらに、画素メモリ内蔵液晶パネル１６１を構成する画素毎のうち、指定した画素に設けられたデジタルメモリ素子が現在保持している電圧（画素値）を反転させたものを、当該デジタルメモリ素子の出力電圧とすることによって、データ表示装置１００に認証情報を表示させるようにしてもよい。この場合、出力電圧を反転させるデジタルメモリ素子を含む画素に対してデータを出力するためのラインデータを、データ表示装置１００に送信する。以下では、画素メモリ内蔵液晶パネル１６１を構成する画素毎のうち、指定した画素に設けられたデジタルメモリ素子が現在保持している電圧を反転させたものを、当該デジタルメモリ素子の出力電圧とすることによって表示部１６０に画像を表示するモードを、「メモリデータ反転モード」とも称する。
【０１０９】
メモリデータ反転モードにおいて、当該データ信号線に接続されたデジタルメモリ素子がＨｉｇｈレベルの電圧を保持している場合（つまり、画素値が１の場合）、データ信号線にＨｉｇｈレベルのデータ信号が入力されると、該デジタルメモリ素子の出力電位が反転してＬｏｗレベルになる（つまり、画素値が反転して０になる）。一方、デジタルメモリ素子がＬｏｗレベルの電圧を保持している場合（つまり、画素値が０の場合）、データ信号線にＨｉｇｈレベルのデータ信号が入力されると、該デジタルメモリ素子の出力電位が反転してＨｉｇｈレベルになる（つまり、画素値が反転して１になる）。なお、メモリデータ反転モードを実現する画素メモリ内蔵液晶パネル１６１の回路図の構成例については、図２８を用いて後述する。
【０１１０】
また、クライアント装置３００からデータ表示装置１００に送信するデータに対して、一般的に知られている方法によって、暗号化処理を施してもよい。この場合、データ表示装置１００は、クライアント装置３００から受信したデータに対して復号化処理を施し、該復号化処理後のデータに基づいて、表示部１６０に画像を表示する。
【０１１１】
（データ表示装置の概観）
次に、図６を参照しながら、データ表示装置１００の概観の一例について説明する。図６（ａ）は、データ表示装置１００の概観の一例を示す模式図である。同図に示すように、データ表示装置１００は、筐体の表面に、表示部１６０、端子部１７０、および自装置の各部に電力を供給する電源部１９０（太陽電池）を有している。各部の詳細については後述する。なお、同図では、表示部１６０に、ユーザの氏名を表示している。
【０１１２】
次に、図６（ｂ）は、データ読取装置２００に接続（装着）された場合における、データ表示装置１００の概観の一例を示す模式図である。同図に示すように、データ読取装置２００に接続（装着）された状態においても、ユーザは、表示部１６０を視認可能である。なお、同図では、表示部１６０に、ユーザの氏名に代えて、認証情報（ＡＢＣＤＥＦＧ）を表示している。
【０１１３】
（認証システムにて認証を行なう際の処理の流れ）
次に、図７を参照しながら、ユーザが、認証システム１０００にて認証を行なう際の処理の流れの概要を説明する。なお、ここでは、処理の流れの概要のみを説明し、各処理の詳細については後述する。図７は、認証システム１０００にて、ユーザが認証を行なう際の処理の流れの概要を示すシーケンス図である。なお、ここでは、ユーザは、認証情報をデータ表示装置１００の表示部１６０に表示させるために、データ表示装置１００をデータ読取装置２００に接続（装着）したものとする。
【０１１４】
データ表示装置１００は、データ読取装置２００に接続されると、データ表示装置１００のＩＤ、および、データ表示装置１００が表示部１６０を有する旨を含む通信コマンドを、データ読取装置２００を介してクライアント装置３００に送信する（ステップ（以下、Ｓと表記）１１）。
【０１１５】
続いて、クライアント装置３００は、上記通信コマンドを受信すると、該受信した通信コマンドに含まれるＩＤを認証サーバ４００に送信するとともに、データ表示装置１００が表示部１６０を有する旨を自装置に記憶する（Ｓ１３）。
【０１１６】
続いて、認証サーバ４００は、クライアント装置３００から受信したＩＤに基づいて認証情報を生成し、該生成した認証情報をクライアント装置３００に送信する（Ｓ１５）。
【０１１７】
続いて、クライアント装置３００は、データ表示装置１００が表示部１６０を有することを記憶しているので、認証サーバ４００から認証情報を受信すると、上記受信した認証情報をデータ表示装置１００の表示部１６０に表示させる処理を行なう。具体的には、上記受信した認証情報を表示するためのラインデータを、データ読取装置２００を介してデータ表示装置１００に向けて送信する（Ｓ１７）。
【０１１８】
なお、ステップＳ１７にて送信するラインデータは、画素メモリ内蔵液晶パネル１６１を構成するラインのうち、認証情報を表示する対象となる１または複数のラインに画像を表示するためのラインデータである。
【０１１９】
さらに、クライアント装置３００の指示よりデータ表示装置１００の画素メモリ内蔵液晶パネル１６１に現在画像が表示されている場合は、ステップＳ１７にて送信するラインデータは、画素メモリ内蔵液晶パネル１６１に現在表示させている画像と、画素メモリ内蔵液晶パネル１６１に今回表示させる認証情報の画像との差分画像を表示するためのラインデータとなる。
【０１２０】
さらに、メモリデータ反転モードにて、データ表示装置１００に認証情報を表示させる場合、ステップＳ１７にて送信するラインデータは、画素メモリ内蔵液晶パネル１６１において、出力電圧を反転させるデジタルメモリ素子を含む画素に対してデータを出力するためのラインデータとなる。
【０１２１】
なお、クライアント装置３００は、ステップＳ１７にてラインデータを送信するにあたり、暗号化処理を施してもよい。この場合、ステップＳ１３にて取得したデータ表示装置１００のＩＤを暗号鍵として用いるものとする。
【０１２２】
続いて、データ表示装置１００は、データ読取装置２００を介してクライアント装置３００からラインデータを受信すると、該受信したラインデータに基づいて、表示部１６０に認証情報を表示する（Ｓ１９）。なお、データ表示装置１００は、画素メモリ内蔵液晶パネル１６１を構成するラインのうち、認証情報を表示する対象となるラインのみを書き換える。
【０１２３】
なお、メモリデータ反転モードにて、データ表示装置１００に認証情報を表示させる場合、表示部１６０に、メモリデータ反転モードをＯＮにする旨の信号を出力する。これについては、図２８を用いて後述する。
【０１２４】
また、データ表示装置１００は、ステップＳ１７にて暗号化処理が施されたラインデータを受信したときは、自装置のＩＤを復号鍵として、復号化処理を行なうものとする。
【０１２５】
その後、クライアント装置３００は、データ表示装置１００の表示部１６０を閲覧することによって認証情報を知り得たユーザから、認証情報の入力を受け付け、該入力された認証情報を認証サーバ４００に送信する（Ｓ２１）。
【０１２６】
最後に、認証サーバ４００は、クライアント装置３００から認証情報を受信すると、該受信した認証情報と、ステップＳ１５にて生成した認証情報とのマッチングを行なうことによって、認証処理を実行する（Ｓ２３）。
【０１２７】
以上の流れにより、ユーザは、認証システム１０００にて認証を行なうことができる。
【０１２８】
なお、表示部を有さないＩＣカードを用いて認証処理を行なう場合について、説明を補足する。該ＩＣカードは、表示部を有さない点を除けば、データ表示装置１００と同等の機能を具備するものとする。そして、ステップＳ１１で送信される通信コマンドには、上記ＩＣカードが表示部を有さない旨が含まれるものとする。そして、クライアント装置３００は、ステップＳ１３にて、上記ＩＣカードが表示部を有さない旨を自装置に記憶するものとする。そして、クライアント装置３００は、ステップＳ１７にて、上記ＩＣカードにラインデータを送信せず、クライアント装置３００の表示部に認証情報を表示するものとする。したがって、この場合、ユーザは、クライアント装置３００の表示部を閲覧することによって認証情報を知り得ることとなる。
【０１２９】
（データ表示装置とクライアント装置との間でやりとりされる通信コマンド）
次に、図８〜図１６を参照しながら、データ表示装置１００とクライアント装置３００との間でやりとりされる通信コマンドについて説明する。
【０１３０】
後述するように通信コマンドは７種類存在するが、各通信コマンドは、少なくとも「スタート（Ｓ）」フィールド、および、「コマンド種別」フィールドを含むフレーム構造となっている。「スタート」フィールドは、通信コマンドのフレームの開始を示すフィールドである。また、「コマンド種別」フィールドは、通信コマンドの種別を示す値を格納するためのフィールドである。
【０１３１】
図８を参照しながら、通信コマンドの種別と、「コマンド種別」フィールドに格納される値（ビット列）との対応関係について説明する。図８は、通信コマンドの種別と、「コマンド種別」フィールドに格納される値（ビット列）との対応関係を示す説明図である。同図に示すように、通信コマンドは７種類存在する。
【０１３２】
１つ目は、データ表示装置１００からクライアント装置３００に対して、データ表示装置１００のＩＤを送信する際に用いられる通信コマンド（以下、ＩＤ送信コマンドと表記する）である。
【０１３３】
２つ目は、クライアント装置３００からデータ表示装置１００に対して、データ表示装置１００の表示データ記憶部１３２を書き換える（更新する）要求を送信する際に用いられる通信コマンド（以下、書換要求コマンドと表記する）である。
【０１３４】
３つ目は、データ表示装置１００からクライアント装置３００に対して、データ表示装置１００の表示データ記憶部１３２の書き換え（更新）が失敗した旨を送信する際に用いられる通信コマンド（以下、書換失敗コマンドと表記する）である。
【０１３５】
４つ目は、データ表示装置１００からクライアント装置３００に対して、データ表示装置１００の表示データ記憶部１３２の書き換え（更新）が成功した旨を送信する際に用いられる通信コマンド（以下、書換成功コマンドと表記する）である。
【０１３６】
５つ目は、クライアント装置３００からデータ表示装置１００に対して、後述するスルー表示モードに切り替える要求を送信する際に用いられる通信コマンド（以下、スルー表示切替コマンドと表記する）である。
【０１３７】
６つ目は、クライアント装置３００からデータ表示装置１００に対して、後述する復号表示モードで表示部１６０にデータを出力する要求を送信する際に用いられる通信コマンド（以下、復号表示コマンドと表記する）である。
【０１３８】
７つ目は、クライアント装置３００からデータ読取装置２００に対して、復号表示モード、かつ、メモリデータ反転モードで、表示部１６０にデータを出力する要求を送信する際に用いられる通信コマンド（以下、復号表示／反転コマンドと表記する）である。
【０１３９】
そして、同図に示すように、「コマンド種別」フィールドに格納される値は、ＩＤ送信コマンドの場合は“０００００００”、書換要求コマンドの場合は“１１１１０００”、書換失敗コマンドの場合は“０１０１０００”、書換成功コマンドの場合は“０１１１０００”、スルー表示切替コマンドの場合は“１０００１００”、復号表示コマンドの場合は“１００１０００”、復号表示／反転コマンドの場合は“１００１００１”である。
【０１４０】
ここで、スルー表示モードおよび復号表示モードについて説明する。
【０１４１】
スルー表示モードとは、データ表示装置１００において、クライアント装置３００から受信するデータを、制御部１４０を介さずに、直接、表示部１６０に出力するモードである。よって、この場合、表示切替部１８０（後述する）が、表示部１６０へのデータの出力元を、端子部１７０に設定しておく必要がある。
【０１４２】
復号表示モードとは、データ表示装置１００において、クライアント装置３００から受信するデータを、制御部１４０にて復号化処理を施した上で、表示部１６０へ出力するモードである。よって、この場合、表示切替部１８０が、表示部１６０へのデータの出力元を、制御部１４０に設定しておく必要がある。
【０１４３】
次に、上述した７種類の通信コマンドのそれぞれのフレーム構造について説明する。
【０１４４】
まず、図９を参照しながら、ＩＤ送信コマンドのフレーム構造について説明する。図９は、通信コマンドの１種であるＩＤ送信コマンドのフレーム構造を模式的に示す図である。
【０１４５】
同図に示すように、ＩＤ送信コマンドは、「スタート」、「コマンド種別」、「表示部有無」、および「ＩＤ」の各フィールドを含んでいる。
【０１４６】
「表示部有無」フィールドは、データ表示装置１００が表示部を有するか否かを示すフィールドである。データ表示装置１００が表示部を有する場合は“１”、データ表示装置１００が表示部を有さない場合は“０”が格納される。
【０１４７】
「ＩＤ」フィールドは、データ表示装置１００のＩＤを格納するフィールドである。
【０１４８】
次に、図１０を参照しながら、書換要求コマンドのフレーム構造について説明する。図１０は、通信コマンドの１種である書換要求コマンドのフレーム構造を模式的に示す図である。
【０１４９】
同図に示すように、書換要求コマンドは、「スタート」、「コマンド種別」、「表示部有無」、「データ長」、および「データ」の各フィールドを含んでいる。
【０１５０】
「表示部有無」フィールドは、データ表示装置１００が表示部を有するか否かを示すフィールドであるが、書換要求コマンドの場合、常に、データ表示装置１００が表示部を有することを示す“１”が格納される。
【０１５１】
「データ長」フィールドは、「データ」フィールドに格納する値の長さを示すフィールドである。
【０１５２】
「データ」フィールドは、データ表示装置１００の表示データ記憶部１３２に記憶させるデータそのものを格納する。
【０１５３】
次に、図１１および図１２を参照しながら、書換失敗コマンドおよび書換成功コマンドのフレーム構造について説明する。図１１は、書換失敗コマンドのフレーム構造を模式的に示す図である。また、図１２は、書換成功コマンドのフレーム構造を模式的に示す図である。
【０１５４】
図１１および図１２に示すように、書換失敗コマンドおよび書換成功コマンドは、「スタート」、「コマンド種別」、および「Don’t care」の各フィールドを含んでいる。「Don’t care」フィールドは、どのような値が指定されていてもよい。
【０１５５】
次に、図１３を参照しながら、スルー表示切替コマンドのフレーム構造について説明する。図１３は、スルー表示切替コマンドのフレーム構造を模式的に示す図である。
【０１５６】
同図に示すように、スルー表示切替コマンドは、「スタート」、「コマンド種別」、および「表示部有無」の各フィールドを含んでいる。
【０１５７】
「表示部有無」フィールドは、データ表示装置１００が表示部を有するか否かを示すフィールドであるが、スルー表示切替コマンドの場合、常に、データ表示装置１００が表示部を有することを示す“１”が格納される。
【０１５８】
ここで、図１４（ａ）〜１４（ｃ）を参照しながら、スルー表示モード時にクライアント装置３００から、データ表示装置１００の制御部１４０を介さずに、直接、表示部１６０に出力されるデータ（以下、スルー表示データと表記する）のフレーム構造について説明する。
【０１５９】
スルー表示データのフレーム構造は、データ表示装置１００の表示部１６０にデータを出力させる際のモードに応じて、２種類存在する。ここで、データ表示装置１００の表示部１６０にデータを出力させる際のモードとは、ライン書換モードおよび表示更新モードである。
【０１６０】
ライン書換モードとは、表示部１６０の画素メモリ内蔵液晶パネル１６１を構成するラインのうち、指定したラインにデータを出力する（指定したラインのデータを書き換える）モードである。また、表示更新モードとは、表示部１６０の画素メモリ内蔵液晶パネル１６１の表示を更新する指示を与えるモードである。
【０１６１】
まず、図１４（ａ）は、ライン書換モードを指定する場合における、スルー表示データのフレーム構造を模式的に示す図である。この場合、スルー表示データは、「モード種別」、「コモン反転指定」、「コモン反転」、「ラインアドレス」、「ラインデータ」、および「ダミー」の各フィールドを含んでいる。
【０１６２】
「モード種別」フィールドは、ライン書換モードであることを示す値“１０００”を格納するためのフィールドである。
【０１６３】
次に、「コモン反転指定」フィールドは、画素メモリ内蔵液晶パネル１６１を構成する共通電極端子（ＣＯＭ）６１７の電圧の極性を、「コモン反転」フィールドに指定された値に従って決定するか、または、データ表示装置１００の制御部１４０にて生成される値に従って決定するかを指定するためのフィールドである。「コモン反転」フィールドの値に従って決定する場合は“０”、データ表示装置１００の制御部１４０にて生成される値に従って決定する場合は“１”が格納される。
【０１６４】
次に、「コモン反転」フィールドは、共通電極端子（ＣＯＭ）６１７の電圧の極性を指定するフィールドである。反転させる場合は“１”、反転させない場合は“０”が格納される。
【０１６５】
次に、「ラインアドレス」フィールドは、画素メモリ内蔵液晶パネル１６１を構成するラインのうち、「ラインデータ」フィールドに格納されるラインデータを表示する対象となるラインを指定するフィールドである。なお、「ラインアドレス」フィールドの長さは１０ビットであり、例えば、“１０００００００００”は画素メモリ内蔵液晶パネル１６１を構成するラインの１本目を表し、“０１００００００００”は、画素メモリ内蔵液晶パネル１６１を構成するラインの２本目を表し、“００１０１１１１１０”は、画素メモリ内蔵液晶パネル１６１を構成するラインの５００本目を表す。
【０１６６】
「ラインデータ」フィールドは、「ラインアドレス」フィールドにて指定されたラインに表示するためのデータを格納するフィールドである。なお、「ラインデータ」フィールドの長さは、１ラインのドット数／８ビットとなる。
【０１６７】
「ダミー」フィールドは、必要に応じて適宜値が指定されるフィールドである。
【０１６８】
なお、図１４（ｂ）を参照しながら、ライン書換モードで複数のラインを書き換える場合における、スルー表示データのフレーム構造について説明する。図１４（ｂ）は、ライン書換モードにて複数ラインを書き換える場合における、スルー表示データのフレーム構造を模式的に示す図である。
【０１６９】
同図に示すように、ライン書換モードで複数のラインを書き換える場合、「ラインアドレス」フィールドおよび「ラインデータ」フィールドの組を、書き換えるラインの数だけ繰り返し設けるようにする。
【０１７０】
次に、図１４（ｃ）は、表示更新モードを指定する場合における、スルー表示データのフレーム構造を模式的に示す図である。同図に示すように、この場合、スルー表示データは、「モード種別」、「コモン反転指定」、および「コモン反転」の各フィールドを含んでいる。
【０１７１】
「モード種別」フィールドは、表示更新モードであることを示す値“００００”を格納するためのフィールドである。
【０１７２】
「コモン反転指定」および「コモン反転」の各フィールドは、ライン書換モードにおける「コモン反転指定」および「コモン反転」の各フィールドと同じであるので、説明を省略する。
【０１７３】
次に、図１５を参照しながら、復号表示コマンドのフレーム構造について説明する。図１５は、復号表示コマンドのフレーム構造を模式的に示す図である。
【０１７４】
同図に示すように、復号表示コマンドは、「スタート」、「コマンド種別」、「表示部有無」、「データ長」、および「データ」の各フィールドを含んでいる。
【０１７５】
「表示部有無」フィールドは、データ表示装置１００が表示部を有するか否かを示すフィールドであるが、復号表示コマンドの場合、常に、データ表示装置１００が表示部を有することを示す“１”が格納される。
【０１７６】
「データ長」フィールドは、「データ」フィールドに格納する値の長さを示すフィールドである。
【０１７７】
「データ」フィールドは、スルー表示データと同じフォーマットのデータに対して暗号化処理を施したデータが格納される。なお、暗号鍵は、上述したように、データ表示装置１００のＩＤである。
【０１７８】
次に、図１６を参照しながら、復号表示／反転コマンドのフレーム構造について説明する。図１６は、復号表示／反転コマンドのフレーム構造を模式的に示す図である。
【０１７９】
同図に示すように、復号表示／反転コマンドは、「スタート」、「コマンド種別」、「表示部有無」、「データ長」、および「データ」の各フィールドを含んでいる。「コマンド種別」以外の各フィールドは、復号表示コマンドの各フィールドと同じである。
【０１８０】
（データ表示装置の詳細な構成）
次に、図１を参照しながら、データ表示装置１００の要部構成について説明する。図１は、データ表示装置１００の要部構成を示すブロック図である。同図に示すように、データ表示装置１００は、記憶部１３０、制御部１４０、表示部１６０、端子部１７０、表示切替部１８０、および電源部１９０を備えている。
【０１８１】
記憶部１３０は、制御部１４０が実行する（１）各部の制御プログラム、（２）ＯＳプログラム、（３）アプリケーションプログラム、および、（４）これらプログラムを実行するときに読み出す各種データ等を記憶するものである。記憶部１３０は、フラッシュメモリなどの不揮発性の記憶装置によって構成される。
【０１８２】
記憶部１３０は、特に、ＩＤ記憶部（装置識別情報記憶部）１３１、および表示データ記憶部１３２を含んでいる。
【０１８３】
ＩＤ記憶部１３１は、データ表示装置１００を識別する情報（具体的には、データ表示装置１００のＩＤ）を読み出し可能に記憶するものである。また、表示データ記憶部１３２は、表示部１６０に表示させるデータ（例えば、データ表示装置１００のユーザの氏名、住所、所属部署名、顔写真など）を読み出し可能に記憶するものである。
【０１８４】
次に、制御部１４０について説明する。制御部１４０は、データ表示装置１００が備える各部の動作を制御するものである。制御部１４０は、記憶部１３０に記憶されている各種プログラムを読み出して、所定の演算処理を行なうことによって、データ表示装置１００の各部を制御し、データ表示装置１００が備える各種機能を実現するものである。制御部１４０の詳細な構成については後述する。
【０１８５】
次に、表示部１６０について説明する。表示部１６０は、いわゆる画素メモリ内蔵液晶表示装置であり、画素メモリ内蔵液晶パネル１６１、および画素メモリ内蔵液晶パネル１６１を駆動するための周辺回路を含んで構成される。周辺回路とは、例えば、走査信号線ｘｉおよびデータ信号線ｙｉに入力する信号を制御するための制御回路などである。
【０１８６】
次に、端子部１７０について説明する。端子部１７０は、データ表示装置１００とデータ読取装置２００とを接続する接続端子である。データ表示装置１００とデータ読取装置２００とが接続されているとき、データ表示装置１００とデータ読取装置２００との間では、少なくとも次に示す信号線が、端子部１７０を介して接続される。すなわち、（１）データ読取装置２００からデータ表示装置１００に電力を供給する電力信号線、（２）データ読取装置２００からデータ表示装置１００の記憶部１３０へのデータの書き込みを制御する書込信号線（以下、ＷＲと表記する）、および、（３）データ表示装置１００とデータ読取装置２００と間でデータをやりとりするためのデータ信号線、である。
【０１８７】
なお、以下では、上記電力信号線にてデータ読取装置２００からデータ表示装置１００に供給される電力を、電力Ｖｃｃ２とも表記する。
【０１８８】
また、書込信号線ＷＲの電位がＨｉｇｈ（Ｈ）レベルのとき、データ読取装置２００からデータ表示装置１００の記憶部１３０へのデータの書き込みが可能である。一方、書込信号線ＷＲの電位がＬｏｗ（Ｌ）レベルのとき、データ読取装置２００からデータ表示装置１００の記憶部１３０へのデータの書き込みはできない。
【０１８９】
また、データ信号線を用いたデータ伝送は、双方向伝送であっても片方向伝送であってもよいし、また、シリアル伝送であってもパラレル伝送であってもよい。
【０１９０】
また、書込信号線ＷＲの電位は、データ表示装置１００とデータ読取装置２００とが接続されていないとき、Ｌｏｗレベルとなるものとする。また、データ表示装置１００とデータ読取装置２００とが接続されている場合は、クライアント装置３００からの指示に応じて、書込信号線ＷＲの電位はＬｏｗレベル、および、Ｈｉｇｈレベルのいずれかとなる。この場合、書込信号線ＷＲの電位がＬｏｗレベルとなるのは、スルー表示モードでデータ表示装置１００の表示部１６０に直接データを出力するときである。
【０１９１】
次に、表示切替部１８０について説明する。表示切替部１８０は、制御部１４０の表示切替指示部１４３（後述する）からの指示に応じて、表示部１６０へのデータの出力元を、制御部１４０および端子部１７０のいずれか一方に設定する（切り替える）ものである。
【０１９２】
具体的には、表示部１６０へのデータの出力元を制御部１４０にする場合、制御部１４０から表示部１６０へのデータの出力が可能になり、かつ、端子部１７０から表示部１６０へのデータの出力が不可能になるように、接続を切り替える。
【０１９３】
また、表示部１６０へのデータの出力元を端子部１７０にする場合、制御部１４０から表示部１６０へのデータの出力が不可能になり、かつ、端子部１７０から表示部１６０に直接データの出力が可能になるように、接続を切り替える。この場合、クライアント装置３００から送信されるデータは、制御部１４０を介さずに、直接、表示部１６０に出力されることとなる。
【０１９４】
なお、以下では、「表示部１６０へのデータの出力元を、制御部１４０に設定する」ことを、「表示切替部１８０の接続先を制御部１４０に設定する」とも表記する。同様に、「表示部１６０へのデータの出力元を、端子部１７０に設定する」ことを、「表示切替部１８０の接続先を端子部１７０に設定する」とも表記する。
【０１９５】
次に、電源部１９０について説明する。電源部１９０は、データ読取装置２００に接続されていないとき（すなわち、データ表示装置１００が単独で動作するとき）に、データ表示装置１００の各部に電力を供給するものである。電源部１９０が供給する電力を、以下では、電力Ｖｃｃ１とも表記する。なお、ここでは、電源部１９０は、いわゆる太陽電池を想定している。
【０１９６】
次に、制御部１４０について詳細に説明する。制御部１４０は、データ表示制御部（表示制御手段）１４１、電源検知部（接続検知手段）１４２、表示切替指示部１４３、表示データ読出部１４４、およびコマンド処理部（認証表示情報取得手段）１４５を含んでいる。
【０１９７】
まず、データ表示制御部１４１について説明する。データ表示制御部１４１は、表示部１６０へのデータの出力を制御するものであり、特に、表示データ読出部１４４およびコマンド処理部１４５からの指示に従って、表示部１６０にデータを出力することによって、表示部１６０に画像を表示させる制御を行なうものである。なお、データ表示制御部１４１から表示部１６０には、各種信号線を介して、データ信号および各種制御信号が入力される。
【０１９８】
また、コマンド処理部１４５から、メモリデータ反転モードをＯＮに設定する旨が指示された場合、データ表示制御部１４１は、表示部１６０に対して、メモリデータ反転モードをＯＮに設定する旨の信号を出力する。具体的には、図２８を用いて後述するメモリデータ反転モードバッファ６１にＨｉｇｈレベルの電圧を印加する。
【０１９９】
一方、コマンド処理部１４５から、メモリデータ反転モードをＯＦＦに設定する旨が指示された場合、データ表示制御部１４１は、表示部１６０に対して、メモリデータ反転モードをＯＦＦに設定する旨の信号を出力する。具体的には、メモリデータ反転モードバッファ６１にＬｏｗレベルの電圧を印加する。
【０２００】
また、データ表示制御部１４１は、電力Ｖｃｃ２が供給されていない場合、電力Ｖｃｃ１による表示処理を行なう旨を表示部１６０に指示する。
【０２０１】
次に、電源検知部１４２は、電源部１９０から、データ表示装置１００の消費電力以上の電力Ｖｃｃ１が供給されているか否かを調べる。そして、電力Ｖｃｃ１が自装置の消費電力以上であった場合、表示切替部１８０の接続先を制御部１４０に設定させる旨を、表示切替指示部１４３に指示するとともに、表示データ読出部１４４にその旨を通知する。
【０２０２】
さらに、電源検知部１４２は、端子部１７０を介して、電力Ｖｃｃ２が供給されているか否かを調べる。そして、電力Ｖｃｃ２が供給されている場合、コマンド処理部１４５にその旨を通知する。なお、端子部１７０を介して、電力Ｖｃｃ２が供給されるのは、データ表示装置１００がデータ読取装置２００に接続（装着）されているときである。したがって、電力Ｖｃｃ２が供給されていることを検知した場合、データ表示装置１００がデータ読取装置２００に接続（装着）されていることを検知したこととなる。
【０２０３】
次に、表示切替指示部１４３について説明する。表示切替指示部１４３は、電源検知部１４２およびコマンド処理部１４５からの指示に応じて、表示切替部１８０の接続先を制御部１４０および端子部１７０のいずれかに設定させる指示を、表示切替部１８０に与える。
【０２０４】
また、表示切替指示部１４３は、書込信号線ＷＲの電位がＨｉｇｈレベルであることを検知したとき、表示切替部１８０に、表示切替部１８０の接続先を制御部１４０に設定させる指示を与える。一方、書込信号線ＷＲの電位がＬｏｗレベルであることを検知したとき、表示切替部１８０に、表示切替部１８０の接続先を端子部１７０に設定させる指示を与える。
【０２０５】
次に、表示データ読出部１４４について説明する。表示データ読出部１４４は、電源検知部１４２からの通知があったとき、表示データ記憶部１３２に記憶されているデータを読み出す。そして、該読み出したデータを、表示部１６０に出力させる指示を、データ表示制御部１４１に対して行なう。したがって、データ読取装置２００に接続されていないとき（すなわち、データ表示装置１００が単独で動作しているとき）、表示データ記憶部１３２に記憶されているデータが、表示部１６０に表示されることとなる。
【０２０６】
なお、このとき、電源検知部１４２によって、表示切替部１８０の接続先を制御部１４０に設定させる旨が、表示切替指示部１４３に指示されているので、データ表示制御部１４１から表示部１６０に、表示データ記憶部１３２から読み出したデータを出力することができる状態にある。
【０２０７】
次に、コマンド処理部１４５について説明する。コマンド処理部１４５は、概略的に言えば、データ読取装置２００を介してクライアント装置３００との間でやりとりする通信コマンドを処理するものである。コマンド処理部１４５は、クライアント装置３００から、データ読取装置２００を介して、書換要求コマンド、スルー表示切替コマンド、復号表示コマンド、および復号表示／反転コマンドを受信し、該受信した通信コマンドに応じた処理を行なう。また、データ読取装置２００を介して、クライアント装置３００に、ＩＤ送信コマンド、書換成功コマンド、および書換失敗コマンドを送信する。
【０２０８】
以下で、コマンド処理部１４５が、各通信コマンドを送受信する際に行なう処理について、説明する。
【０２０９】
なお、クライアント装置３００に対してＩＤ送信コマンドを送信するにあたり、コマンド処理部１４５が行なう処理を、以下では「ＩＤ送信処理」とも表記する。
【０２１０】
また、クライアント装置３００から書換要求コマンドを受信した際に、コマンド処理部１４５が行なう処理を、以下では「記憶部書換処理」とも表記する。
【０２１１】
また、クライアント装置３００から復号表示コマンドおよび復号表示／反転コマンドのいずれかを受信した際に、コマンド処理部１４５およびデータ表示制御部１４１が行なう処理を、以下では「復号表示処理」とも表記する。
【０２１２】
また、クライアント装置３００からスルー表示切替コマンドを受信した際に、コマンド処理部１４５が行なう処理を、以下では「スルー表示切替処理」とも表記する。
【０２１３】
まず、ＩＤ送信処理について説明する。コマンド処理部１４５は、電力Ｖｃｃ２が供給されている旨が、電源検知部１４２から通知された場合、ＩＤ送信コマンドを生成し、該生成したＩＤ送信コマンドをクライアント装置３００に向けて送信する。なお、コマンド処理部１４５は、ＩＤ記憶部１３１からデータ表示装置１００のＩＤを読み出し、該読み出したＩＤを、上記生成するＩＤ送信コマンドの「ＩＤ」フィールドに格納する。
【０２１４】
なお、ＩＤ送信コマンドを送信すると、クライアント装置３００から、データ表示装置１００のＩＤに対応する認証情報を表示するためのラインデータを受信することができるため、ＩＤ送信コマンドは、認証情報を表示するためのラインデータの取得を要求するコマンドということもできる。
【０２１５】
次に、記憶部書換処理について説明する。クライアント装置３００から書換要求コマンドを受信したとき、コマンド処理部１４５は、まず、表示切替部１８０の接続先を制御部１４０に設定させる旨を、表示切替指示部１４３に指示する。なお、書換要求コマンドであることは、「コマンド種別」フィールドを参照することによって判定することができる。
【０２１６】
そして、書換要求コマンドの「表示部有無」フィールドの値（以下、表示部有無情報とも表記する）が“１”である場合、書換要求コマンドの「データ」フィールドに格納されているデータの整合性を検査する（例えば、ＣＲＣ（cyclic redundancy checksum）検査などを行なう）。そして、上記検査の結果、整合性が有るときは、書換要求コマンドの「データ」フィールドに格納されているデータを表示データ記憶部１３２に格納するとともに、書換成功コマンドをクライアント装置３００に向けて送信する。
【０２１７】
一方、上記検査の結果、整合性が無いときは、表示データ記憶部１３２を書き換えずに（更新せずに）、書換失敗コマンドをクライアント装置３００に向けて送信する。
【０２１８】
次に、復号表示処理について説明する。クライアント装置３００から復号表示コマンドおよび復号表示／反転コマンドのいずれかを受信したとき、コマンド処理部１４５は、表示切替部１８０の接続先を制御部１４０に設定させる旨を、表示切替指示部１４３に指示する。なお、復号表示コマンドおよび復号表示／反転コマンドであることは、「コマンド種別」フィールドを参照することによって判定することができる。
【０２１９】
そして、コマンド処理部１４５は、「表示部有無」フィールドの値を調べ、「表示部有無」フィールドの値が“１”である場合、「データ」フィールドを、データ表示装置１００のＩＤを復号鍵として復号化処理を施す。その後、該復号化処理後のデータに基づいて、表示部１６０にデータを出力させる指示を、データ表示制御部１４１に対して行なう。なお、データ表示制御部１４１は、上記復号化処理後のデータに基づいて、表示部１６０にデータを出力させる。
【０２２０】
また、コマンド処理部１４５は、復号表示コマンドを受信しているときは、メモリデータ反転モードをＯＦＦに設定する旨を、データ表示制御部１４１に指示する。一方、復号表示／反転コマンドを受信しているときは、メモリデータ反転モードをＯＮに設定する旨を、データ表示制御部１４１に指示する。
【０２２１】
次に、スルー表示切替処理について説明する。クライアント装置３００からスルー表示切替コマンドを受信したとき、コマンド処理部１４５は、まず、スルー表示切替コマンドの「表示部有無」フィールドの値を調べ、「表示部有無」フィールドの値が“０”である場合、表示切替部１８０の接続先を制御部１４０に設定させる旨を、表示切替指示部１４３に指示する。
【０２２２】
一方、「表示部有無」フィールドの値が“１”である場合、表示切替部１８０の接続先を端子部１７０に設定させる旨を、表示切替指示部１４３に指示する。また、メモリデータ反転モードをＯＦＦに設定する旨を、データ表示制御部１４１に指示する。
【０２２３】
なお、スルー表示切替コマンドであることは、「コマンド種別」フィールドを参照することによって判定することができる。
【０２２４】
（クライアント装置の詳細な構成）
次に、図１７を参照しながら、クライアント装置３００の要部構成について説明する。図１７は、クライアント装置３００の要部構成を示すブロック図である。同図に示すように、クライアント装置３００は、記憶部３３０、制御部３４０、表示部３６０、操作部３７０、装置通信部３８０、およびネットワーク通信部３９０を備えている。
【０２２５】
記憶部３３０は、制御部３４０が実行する（１）各部の制御プログラム、（２）ＯＳプログラム、（３）アプリケーションプログラム、および、（４）これらプログラムを実行するときに読み出す各種データ等を記憶するものである。記憶部３３０は、フラッシュメモリなどの不揮発性の記憶装置によって構成される。
【０２２６】
記憶部３３０は、特に、データ表示装置情報記憶部３３１、認証情報記憶部３３２、およびパターン画像記憶部３３３を含んでいる。
【０２２７】
データ表示装置情報記憶部３３１は、データ表示装置１００からデータ読取装置２００を介して受信したＩＤ送信コマンドに含まれる「表示部有無」フィールドの値、および、該ＩＤ送信コマンドに含まれる「ＩＤ」フィールドに格納されているデータ表示装置１００のＩＤを記憶するものである。
【０２２８】
認証情報記憶部３３２は、認証サーバ４００から受信した認証情報を記憶するものである。
【０２２９】
パターン画像記憶部３３３は、メモリデータ反転モードでデータ表示装置１００の表示部１６０にデータを出力する前に、データ表示装置１００の表示部１６０に表示させるパターン画像を記憶するものである。パターン画像は、例えば、白および黒のストライプ状の模様を表す画像などが挙げられる。なお、図２９（ｂ）に示す画像が、パターン画像の一例である。
【０２３０】
次に、制御部３４０について説明する。制御部３４０は、クライアント装置３００が備える各部の動作を制御するものである。制御部３４０は、記憶部３３０に記憶されている各種プログラムを読み出して、所定の演算処理を行なうことによって、クライアント装置３００の各部を制御し、クライアント装置３００が備える各種機能を実現するものである。制御部３４０の詳細な構成については後述する。
【０２３１】
次に、表示部３６０について説明する。表示部３６０は、制御部３４０の指示に基づいて画像を表示する表示装置である。例えば、ＬＣ（Liquid Crystal）表示パネルやＥＬ（Electro Luminescence）表示パネル、ＣＲＴ（cathode-ray tube）表示装置等を表示部３６０として適用することができる。
【０２３２】
次に、操作部３７０について説明する。操作部３７０は、クライアント装置３００のユーザの入力操作を受け付け、該入力操作に応じた入力信号を制御部３４０に送信する。操作部３７０は、例えば、リモコン、マウス、キーボード、スイッチ、タッチパネルなどの入力デバイスで構成される。
【０２３３】
次に、装置通信部３８０について説明する。装置通信部３８０は、データ読取装置２００との通信を行なうものである。装置通信部３８０は、ＵＳＢやイーサネット（登録商標）などの通信ケーブルが接続可能に構成されており、該通信ケーブルを介してデータ読取装置２００との通信を行なう。
【０２３４】
次に、ネットワーク通信部３９０は、通信ネットワーク５００を介して認証サーバ４００との通信を行なうものである。ネットワーク通信部３９０は、通信ネットワーク５００と接続可能に構成されており、図示していないが、ネットワーク通信部３９０と通信ネットワーク５００との間には、ＬＡＮ（Local Area Network）やルータ等の通信を行なうために必要な構成が適宜設けられている。
【０２３５】
次に、制御部３４０について詳細に説明する。制御部３４０は、認証情報処理部３４２、記憶部書換指示処理部３４３、表示データ送信処理部（認証表示情報送信手段）３４４、および表示装置情報受信処理部（装置識別情報受信手段）３４５を含んでいる。
【０２３６】
認証情報処理部３４２について説明する。認証情報処理部３４２は、概略的に言えば、認証サーバ４００から認証情報を取得するとともに、ユーザから入力された認証情報を認証サーバ４００に送信するものである。
【０２３７】
具体的には、認証情報処理部３４２は、データ表示装置情報記憶部３３１に記憶されているデータ表示装置１００のＩＤを読み出し、該読み出したＩＤを、ネットワーク通信部３９０を介して認証サーバ４００に送信する。そして、その応答として、ネットワーク通信部３９０を介して認証サーバ４００から認証情報を受信し、該受信した認証情報を認証情報記憶部３３２に格納する。
【０２３８】
そして、認証情報処理部３４２は、上記受信した認証情報を、クライアント装置３００の表示部３６０に表示するか、または、データ表示装置１００の表示部１６０に表示するかを決定する。該決定にあたり、認証情報処理部３４２は、データ表示装置情報記憶部３３１に記憶されている表示部有無情報を読み出し、該読み出した表示部有無情報が“０”であれば、クライアント装置３００の表示部３６０に表示すると決定し、該読み出した表示部有無情報が“１”であれば、データ表示装置１００の表示部１６０に表示すると決定する。
【０２３９】
そして、認証情報処理部３４２は、認証情報を表示部３６０に表示すると決定した場合、認証情報を表示部３６０に出力する。
【０２４０】
また、認証情報処理部３４２は、認証情報をデータ表示装置１００の表示部１６０に表示すると決定した場合、認証情報をデータ表示装置１００に送信する指示を、表示データ送信処理部３４４に与える。
【０２４１】
また、認証情報処理部３４２は、クライアント装置３００のユーザに対して、認証情報の入力を求めるために、認証情報の入力を受け付けるテキストボックスなどのＧＵＩを表示した認証情報入力画面を表示部３６０に表示させる。なお、ユーザは、クライアント装置３００の表示部３６０およびデータ表示装置１００の表示部１６０のいずれかを閲覧することによって知り得た認証情報を、認証情報入力画面にて入力する。また、ユーザからの入力は、操作部３７０を介して受け付ける。
【０２４２】
そして、認証情報処理部３４２は、認証情報入力画面にて認証情報の入力を受け付けたとき（認証情報入力画面に設けた所定のボタンが押下されたとき等）、該入力された認証情報を認証サーバ４００に送信する。
【０２４３】
次に、記憶部書換指示処理部３４３について説明する。記憶部書換指示処理部３４３は、ユーザの指示等のトリガに応じて、データ表示装置１００の表示データ記憶部１３２に記憶させる情報の書き換え（更新）を指示する処理を行なう。なお、記憶部書換指示処理部３４３が行なう処理を、記憶部書換指示処理とも称する。
【０２４４】
そのために、記憶部書換指示処理部３４３は、まず、書込信号線ＷＲの電位をＨｉｇｈレベルにする指示をデータ読取装置２００に与え、データ読取装置２００からデータ表示装置１００の記憶部１３０へのデータの書き込みが可能な状態とする。
【０２４５】
続いて、記憶部書換指示処理部３４３は、書換要求コマンドを生成し、該生成した書換要求コマンドを、データ読取装置２００を介してデータ表示装置１００に送信する。なお、このとき、データ表示装置１００の表示データ記憶部１３２に記憶させる情報を、書換要求コマンドの「データ」フィールドに格納する。
【０２４６】
そして、書換要求コマンドを送信した応答として、クライアント装置３００から書換失敗コマンドを受信した場合は、再度、上記生成した書換要求コマンドを、データ読取装置２００を介してデータ表示装置１００に送信する。一方、書換要求コマンドを送信した応答として、クライアント装置３００から書換成功コマンドを受信した場合は、記憶部書換指示処理を終了する。
【０２４７】
なお、データ表示装置１００の表示データ記憶部１３２に記憶させる情報は、ユーザからの入力を受け付けるテキストボックスなどのＧＵＩを含む、情報入力画面を表示部３６０に表示し、該情報入力画面にてユーザに入力させることを想定しているが、この入力方法に限定されるものではない。
【０２４８】
次に、表示データ送信処理部３４４について説明する。表示データ送信処理部３４４は、主に、データ読取装置２００を介してクライアント装置３００に、復号表示コマンド、復号表示／反転コマンド、スルー表示切替コマンド、およびスルー表示データを送信するものである。
【０２４９】
まず、認証情報処理部３４２から、認証情報をデータ表示装置１００に送信する指示が与えられた場合において、データ表示装置１００の表示部１６０に復号表示モードで認証情報を出力させる場合は、表示データ送信処理部３４４は、復号表示コマンドを生成するとともに、該生成した復号表示コマンドを、データ読取装置２００を介してデータ表示装置１００に送信する。
【０２５０】
なお、復号表示モード、かつ、メモリデータ反転モードにて、データ表示装置１００の表示部１６０に認証情報を出力させる場合であれば、表示データ送信処理部３４４は、復号表示／反転コマンドを生成するとともに、該生成した復号表示／反転コマンドを、データ読取装置２００を介してデータ表示装置１００に送信する。
【０２５１】
また、上記生成する復号表示コマンド、および、復号表示／反転コマンドの「モード種別」フィールドには、ライン書換モードを指定する。そして、「データ」フィールドには、認証情報を表示する対象となるラインに出力するデータを、ライン毎に格納する。なお、データ表示装置１００の表示部１６０に画像が表示されている状態のときは、表示部１６０に現在表示されている画像と、表示部１６０に今回表示させる認証情報の画像との差分画像を表示するためラインデータを「データ」フィールドに格納するとともに、「データ」フィールドに対して暗号化処理を施す。なお、暗号鍵は、データ表示装置情報記憶部３３１から読み出した、データ表示装置１００のＩＤである。
【０２５２】
なお、クライアント装置３００からの指示で、データ表示装置１００の表示部１６０にどのような画像を表示させたかについては、記憶部３３０に記憶されているものとする。
【０２５３】
また、データ表示装置１００の表示部１６０に画像が表示されていない状態のときに、表示部１６０にメモリデータ反転モードでデータを出力する場合は、パターン画像記憶部３３３に記憶されているパターン画像を、予め、表示部１６０に表示させる。この場合、表示データ送信処理部３４４は、まず、スルー表示切替コマンドを生成するとともに、該生成したスルー表示切替コマンドを、データ読取装置２００を介してデータ表示装置１００に送信する。そして、スルー表示切替コマンドを送信した後、表示データ送信処理部３４４は、書込信号線ＷＲの電位をＬｏｗレベルにする指示をデータ読取装置２００に与えるとともに、パターン画像を表示する対象となるラインに出力するためのラインデータを、データ読取装置２００を介してデータ表示装置１００に送信する。
【０２５４】
なお、復号表示コマンドおよび復号表示／反転コマンドを送信する前に、表示データ送信処理部３４４は、書込信号線ＷＲの電位をＨｉｇｈレベルにする指示をデータ読取装置２００に与え、データ読取装置２００からデータ表示装置１００の制御部１４０へのデータの送信が可能な状態とする。
【０２５５】
また、復号表示モードでデータ表示装置１００の表示部１６０に認証情報を出力させるか、または、スルー表示モードでデータ表示装置１００の表示部１６０に認証情報を出力させるかについては、クライアント装置３００の記憶部３３０に予め設定されているものとする。同様に、メモリデータ反転モードで出力させるか否かについても、クライアント装置３００の記憶部３３０に予め設定されているものとする。なお、これらの設定は、ユーザにより変更できるようになっていてもよい。
【０２５６】
なお、復号表示コマンド、および、復号表示／反転コマンドを送信するにあたり、表示データ送信処理部３４４が行なう処理を、復号表示データ送信処理とも表記する。
【０２５７】
次に、認証情報処理部３４２から、認証情報をデータ表示装置１００に送信する指示が与えられた場合において、データ表示装置１００の表示部１６０にスルー表示モードで認証情報を出力させる場合は、表示データ送信処理部３４４は、まず、スルー表示切替コマンドを生成するとともに、該生成したスルー表示切替コマンドを、データ読取装置２００を介してデータ表示装置１００に送信する。そして、スルー表示切替コマンドを送信した後、表示データ送信処理部３４４は、書込信号線ＷＲの電位をＬｏｗレベルにする指示をデータ読取装置２００に与えるとともに、認証情報を表示する対象となるラインに出力するためのラインデータを、データ読取装置２００を介してデータ表示装置１００に送信する。
【０２５８】
なお、データ表示装置１００の表示部１６０にスルー表示モードで出力させるにあたり、表示データ送信処理部３４４が行なう処理を、スルー表示データ送信処理とも表記する。
【０２５９】
また、表示データ送信処理部３４４は、データ表示装置１００の表示部１６０の表示を更新するために、所定トリガに応じて、書込信号線ＷＲの電位をＬｏｗレベルにする指示をデータ読取装置２００に与えるとともに、表示部１６０に画像を表示させるためのラインデータを、データ読取装置２００を介してデータ表示装置１００に送信する処理（以下、表示部更新処理とも表記する）を行なうものとする。
【０２６０】
次に、表示装置情報受信処理部３４５について説明する。表示装置情報受信処理部３４５は、データ表示装置１００からデータ読取装置２００を介して、クライアント装置３００からＩＤ送信コマンドを受信すると、ＩＤ送信コマンドの「ＩＤ」フィールドに含まれるＩＤを、認証サーバ４００に送信するとともに、ＩＤおよび「表示部有無」フィールドの値を、データ表示装置情報記憶部３３１に格納する。
【０２６１】
（通信コマンドの送受信例）
次に、図１８を参照しながら、通信コマンドの送受信例の概略について説明する。図１８は、通信コマンドの送受信例の概略を示すシーケンス図である。
【０２６２】
まず、同図において、フローＦ１では、ＩＤ送信コマンドを送受信する様子を示している。データ表示装置１００をデータ読取装置２００に接続（装着）したときに、データ表示装置１００からＩＤ送信コマンドを送信する（Ｓ５１）。なお、クライアント装置３００では、ＩＤ送信コマンドを受信し、ＩＤ送信コマンドの「ＩＤ」フィールドに含まれるＩＤを、認証サーバ４００に送信する（Ｓ５３）。
【０２６３】
次に、フローＦ２では、クライアント装置３００が行なう記憶部書換指示処理において書換要求コマンドを送信するとともに、データ表示装置１００が行なう記憶部書換処理において書換失敗コマンドおよび書換成功コマンドを送信する様子を示している。クライアント装置３００は、書換要求コマンドを送信する前に、まず、書込信号線ＷＲの電位をＨｉｇｈレベルにする指示をデータ読取装置２００に与え、データ読取装置２００からデータ表示装置１００の記憶部１３０へのデータの書き込みが可能な状態とする（Ｓ６１）。なお、データ表示装置１００では、書込信号線ＷＲの電位がＨｉｇｈレベルであることを検知すると、表示切替部１８０の接続先を制御部１４０に設定する（Ｓ６３）。
【０２６４】
続いて、クライアント装置３００は、書換要求コマンドを送信する（Ｓ６２）。書換要求コマンドを受信したデータ表示装置１００は、データの整合性を検査し、整合性が無いときは、書換失敗コマンドを送信する（Ｓ６７）。なお、クライアント装置３００は書換失敗コマンドを受信すると、再度、書換要求コマンドを送信する。一方、整合性があるときは、データ表示装置１００は、書換成功コマンドを送信するとともに、記憶部１３０を書き換える（更新する）（Ｓ６９）。
【０２６５】
次に、フローＦ３では、クライアント装置３００が行なう復号表示データ送信処理において復号表示コマンドを送信する様子を示している。まず、クライアント装置３００は、書込信号線ＷＲの電位をＨｉｇｈレベルにする指示をデータ読取装置２００に与え、データ読取装置２００からデータ表示装置１００の制御部１４０へのデータの送信が可能な状態とする（Ｓ７１）。なお、データ表示装置１００では、書込信号線ＷＲの電位がＨｉｇｈレベルであることを検知すると、表示切替部１８０の接続先を制御部１４０に設定する（Ｓ７３）。そして、クライアント装置３００は、復号表示コマンドを送信する（Ｓ７５）。復号表示コマンドを受信したデータ表示装置１００は、復号表示コマンドの「データ」フィールドを、データ表示装置１００のＩＤを復号鍵として復号化処理を施し、該復号化処理後のデータに基づいて、表示部１６０にデータを出力させる（Ｓ７７）。なお、銃器復号表示コマンドの「表示部有無」フィールドの値は“１”であるものとする。
【０２６６】
次に、フローＦ４では、クライアント装置３００が行なうスルー表示データ送信処理においてスルー表示切替コマンドを送信した後、表示部１６０に表示させる表示用のデータを送信する様子を示している。まず、クライアント装置３００は、スルー表示切替コマンドを送信する（Ｓ８１）。スルー表示切替コマンドを受信したデータ表示装置１００は、表示切替部１８０の接続先を端子部１７０に設定させる（Ｓ８３）。なお、上記スルー表示切替コマンドの「表示部有無」フィールドの値が“１”であるものとする。
【０２６７】
続いて、クライアント装置３００は、書込信号線ＷＲの電位をＬｏｗレベルにする指示をデータ読取装置２００に与え、データ読取装置２００からデータ表示装置１００の表示部１６０に、制御部１４０を介さずにデータの出力可能な状態とする（Ｓ８５）。その後、クライアント装置３００が、表示部１６０に表示させる表示用のデータを送信すると（Ｓ８７）、データ表示装置１００の表示部１６０に、上記表示用のデータが出力される（Ｓ８９）。
【０２６８】
（データ表示装置における処理の流れ）
次に、図１９〜図２２を参照しながら、データ表示装置１００における処理の流れについて説明する。図１９は、データ表示装置１００における処理の流れを示すフローチャートである。なお、ここでは、データ表示装置１００は、データ読取装置２００に接続されておらず、かつ、リセットされた状態から開始するものとする。
【０２６９】
まず、表示データ読出部１４４が、電源部１９０から電力が供給される電力（Ｖｃｃ１）が、自装置の消費電力以上である旨が、電源検知部１４２から通知されたとき、表示データ記憶部１３２に記憶されているデータを読み出す（Ｓ１０１）。続いて、電源検知部１４２が、表示切替部１８０の接続先を制御部１４０に設定させる旨を、表示切替指示部１４３に指示すると、表示切替指示部１４３は、表示切替部１８０の接続先を制御部１４０に設定させる（Ｓ１０３）。そして、上記読み出したデータを、表示部１６０に出力させる指示を、データ表示制御部１４１に対して行ない、表示部１６０に表示させる（Ｓ１０５）。
【０２７０】
ところで、電源検知部１４２は、端子部１７０を介して電力Ｖｃｃ２が供給されているか否かを調べており（Ｓ１０７）、電力Ｖｃｃ２が供給されていない場合（Ｓ１０７にてＮＯ）、電源部１９０から供給される電力Ｖｃｃ１による表示処理を、表示部１６０に行なわせる（Ｓ１０９）。なお、ステップＳ１０９では、データ表示制御部１４１から表示部１６０に対して表示処理を行なう旨を指示するのみであり、表示部１６０に対して表示用のデータの送信は行なわない。
【０２７１】
一方、電力Ｖｃｃ２が供給されている場合（Ｓ１０７にてＹＥＳ）（つまり、データ読取装置２００と接続されている場合）、コマンド処理部１４５が、ＩＤ記憶部１３１からＩＤを読み出し（Ｓ１１１）、該読み出したＩＤを含むＩＤ送信コマンドを、クライアント装置３００に向けて送信する（Ｓ１１３）。
【０２７２】
次に、表示切替指示部１４３が、書込信号線ＷＲの電位がＬｏｗレベルであることを検知すると（Ｓ１１５にてＹＥＳ）、クライアント装置３００からスルー表示モードで表示部１６０に直接データを出力できるようにするため、表示切替部１８０の接続先を端子部１７０に設定させる（Ｓ１１７）。
【０２７３】
そして、電力Ｖｃｃ２が供給されている場合は（Ｓ１１９にてＹＥＳ）、ステップＳ１１５に戻る。一方、電力Ｖｃｃ２が供給されていない場合は（Ｓ１１９にてＮＯ）、ステップＳ１０９に移る。
【０２７４】
一方、表示切替指示部１４３が、書込信号線ＷＲの電位が、Ｈｉｇｈレベルであることを検知すると（Ｓ１１５にてＮＯ）、コマンド処理部１４５が、クライアント装置３００から通信コマンドを受信する（Ｓ１２１）。そして、上記受信した通信コマンドが、書換要求コマンドである場合（Ｓ１２３にてＹＥＳ）、コマンド処理部１４５は、記憶部書換処理を行なう（Ｓ１２５）。記憶部書換処理については、別のフローチャートを用いて後述する。
【０２７５】
また、ステップＳ１２１にて受信した通信コマンドが、復号表示コマンドまたは復号表示／反転コマンドである場合（Ｓ１２７にてＹＥＳ）、コマンド処理部１４５は、復号表示処理を行なう（Ｓ１２９）。復号表示処理については、別のフローチャートを用いて後述する。
【０２７６】
また、ステップＳ１２１にて受信した通信コマンドが、スルー表示切替コマンドである場合（Ｓ１３１にてＹＥＳ）、コマンド処理部１４５は、スルー表示切替処理を行なう（Ｓ１３３）。スルー表示切替処理については、別のフローチャートを用いて後述する。
【０２７７】
ステップＳ１２１にて受信した通信コマンドが、書換要求コマンド、復号表示コマンド、および、スルー表示切替コマンドのいずれでもない場合であって（Ｓ１３１にてＮＯ）、電力Ｖｃｃ２が引き続き供給されている場合（Ｓ１３５にてＹＥＳ）、ステップＳ１１５に戻る。
【０２７８】
一方、電力Ｖｃｃ２が供給されていない場合（Ｓ１３５にてＮＯ）、ステップＳ１０１に戻る。
【０２７９】
（記憶部書換処理の流れ）
次に、図２０を参照しながら、図１９で示したステップＳ１２５における記憶部書換処理の流れについて説明する。図２０は、記憶部書換処理の流れを示すフローチャートである。
【０２８０】
まず、コマンド処理部１４５は、表示切替部１８０の接続先を制御部１４０に設定させる（Ｓ２１１）。続いて、書換要求コマンドの「表示部有無」フィールドの値を調べる（Ｓ２１３）。そして、書換要求コマンドの「表示部有無」フィールドの値が“１”である場合（Ｓ２１３にてＹＥＳ）、書換要求コマンドの「データ」フィールドに格納されているデータの整合性を検査する（Ｓ２１５）。そして、整合性がある場合（Ｓ２１５にてＹＥＳ）、コマンド処理部１４５は、書換要求コマンドの「データ」フィールドに格納されているデータを表示データ記憶部１３２に格納するとともに（Ｓ２１７）、書換成功コマンドをクライアント装置３００に向けて送信し（Ｓ２１９）、記憶部書換処理を終了する（RETURN）。
【０２８１】
一方、整合性がある場合（Ｓ２１５にてＮＯ）、コマンド処理部１４５は、表示データ記憶部１３２を書き換えずに（更新せずに）、書換失敗コマンドをクライアント装置３００に向けて送信し（Ｓ２２１）、記憶部書換処理を終了する（RETURN）。
【０２８２】
なお、書換要求コマンドの「表示部有無」フィールドの値が“０”である場合（Ｓ２１３にてＮＯ）、記憶部書換処理を終了する（RETURN）。
【０２８３】
（復号表示処理の流れ）
次に、図２１を参照しながら、図１９で示したステップＳ１２９における復号表示処理の流れについて説明する。図２１は、復号表示処理の流れを示すフローチャートである。
【０２８４】
まず、コマンド処理部１４５は、表示切替部１８０の接続先を制御部１４０に設定させる（Ｓ３１１）。続いて、通信コマンドの「表示部有無」フィールドの値を調べる（Ｓ３１３）。そして、通信コマンドの「表示部有無」フィールドの値が“１”である場合（Ｓ３１３にてＹＥＳ）、通信コマンドの「データ」フィールドを、データ表示装置１００のＩＤを復号鍵として、復号化処理を施す（Ｓ３１５）。
【０２８５】
続いて、復号表示／反転コマンドである場合（Ｓ３１７にてＹＥＳ）、コマンド処理部１４５は、メモリデータ反転モードをＯＮに設定する旨を、データ表示制御部１４１に指示する。そして、データ表示制御部１４１は、表示部１６０に対して、メモリデータ反転モードをＯＮに設定する旨の信号を出力する（Ｓ３１９）。
【０２８６】
一方、復号表示コマンドである場合（Ｓ３１７にてＮＯ）、コマンド処理部１４５は、メモリデータ反転モードをＯＦＦに設定する旨を、データ表示制御部１４１に指示する。そして、データ表示制御部１４１は、表示部１６０に対して、メモリデータ反転モードをＯＦＦに設定する旨の信号を出力する（Ｓ３２１）。
【０２８７】
その後、コマンド処理部１４５は、ステップＳ３１５にて復号化した後のデータに基づいて、表示部１６０にデータを出力させる指示を、データ表示制御部１４１に対して行なう。そして、データ表示制御部１４１は、上記復号化処理後のデータに基づいて、表示部１６０にデータを出力させ（Ｓ３２３）、復号表示処理が終了する（RETURN）。
【０２８８】
なお、通信コマンドの「表示部有無」フィールドの値が“０”である場合（Ｓ３１３にてＮＯ）、コマンド処理部１４５は、復号表示処理を終了する（RETURN）。
【０２８９】
（スルー表示切替処理の流れ）
次に、図２２を参照しながら、図１９で示したステップＳ１３３におけるスルー表示切替処理の流れについて説明する。図２２は、スルー表示切替処理の流れを示すフローチャートである。
【０２９０】
まず、コマンド処理部１４５は、スルー表示切替コマンドの「表示部有無」フィールドの値を調べる（Ｓ４１１）。そして、スルー表示切替コマンドの「表示部有無」フィールドの値が“１”である場合（Ｓ４１１にてＹＥＳ）、コマンド処理部１４５は、表示切替部１８０の接続先を端子部１７０に設定させる（Ｓ４１３）。そして、コマンド処理部１４５は、メモリデータ反転モードをＯＦＦに設定する旨を、データ表示制御部１４１に指示することによって、データ表示制御部１４１は、表示部１６０に対して、メモリデータ反転モードをＯＦＦに設定する旨の信号を出力する（Ｓ４１５）。
【０２９１】
一方、スルー表示切替コマンドの「表示部有無」フィールドの値が“０”である場合（Ｓ４１１にてＮＯ）、コマンド処理部１４５は、表示切替部１８０の接続先を制御部１４０に設定させ（Ｓ４１７）、スルー表示切替処理を終了する（RETURN）。なお、ステップＳ４１７にて表示切替部１８０の接続先を制御部１４０に設定させる理由は、クライアント装置３００から送信されるデータを、直接、表示部１６０に出力しないようにするためである。
【０２９２】
（クライアント装置における処理の流れ）
次に、図２３〜図２７を参照しながら、クライアント装置３００における主な処理の流れについて説明する。図２３は、クライアント装置３００における主な処理の流れを示すフローチャートである。なお、ここでは、データ表示装置１００がデータ読取装置２００と接続されており、クライアント装置３００は、データ表示装置１００からデータ読取装置２００を介してＩＤ送信コマンドを受信済みであるものとする。そして、データ表示装置情報記憶部３３１には、データ表示装置１００のＩＤ、および、表示部有無情報が格納されているものとする。
【０２９３】
まず、認証情報処理部３４２は、データ表示装置情報記憶部３３１に記憶されている表示部有無情報を読み出す（Ｓ５０１）。
【０２９４】
次に、データ表示装置１００の表示データ記憶部１３２を更新する（書き換える）ことがユーザに指示されている場合（Ｓ５０３にてＹＥＳ）、記憶部書換指示処理部３４３は、記憶部書換指示処理を行なう（Ｓ５０５）。記憶部書換指示処理については、別のフローチャートを用いて後述する。
【０２９５】
一方、データ表示装置１００の表示データ記憶部１３２を更新する（書き換える）ことがユーザに指示されておらず（Ｓ５０３にてＮＯ）、かつ、認証サーバ４００から認証情報を受信していない場合において（Ｓ５０７にてＮＯ）、データ表示装置１００の表示部１６０に表示する画像を更新する場合は（Ｓ５０９にてＹＥＳ）、表示データ送信処理部３４４が、表示部更新処理を行なう（Ｓ５１１）。表示部更新送信処理については、別のフローチャートを用いて後述する。
【０２９６】
一方、認証サーバ４００から認証情報を受信した場合（Ｓ５０７にてＹＥＳ）、当該受信した認証情報を、データ表示装置１００の表示部１６０および表示部３６０のいずれかに表示する場合において（Ｓ５１３にてＹＥＳ）、ステップＳ５０１にて読み出した表示部有無情報が“０”である（つまり、データ表示装置１００が表示部を有していない）場合（Ｓ５１５にてＮＯ）、認証情報処理部３４２は、クライアント装置３００の表示部３６０に認証情報を出力する（Ｓ５１７）。なお、認証情報を、データ表示装置１００の表示部１６０および表示部３６０のいずれかに表示するか否かについては、予め記憶部３３０に設定されているものとする。この設定は、ユーザにより変更できるようになっていてもよい。
【０２９７】
一方、ステップＳ５０１にて読み出した表示部有無情報が“１”である（つまり、データ表示装置１００が表示部１６０を有している）場合は（Ｓ５１５にてＹＥＳ）、認証情報処理部３４２は、認証情報をデータ表示装置１００に送信する指示を、表示データ送信処理部３４４に与える。このとき、復号表示モードでデータ表示装置１００に出力させる場合には（Ｓ５１９にてＹＥＳ）、表示データ送信処理部３４４は、復号表示データ送信処理を行なう（Ｓ５２１）。復号表示データ送信処理については、別のフローチャートを用いて後述する。
【０２９８】
また、復号表示モードではなく、スルー表示モードでデータ表示装置１００に出力させる場合は（Ｓ５１９にてＮＯ、Ｓ５２３にてＹＥＳ）、表示データ送信処理部３４４は、スルー表示データ送信処理を行なう（Ｓ５２５）。スルー表示データ送信処理については、別のフローチャートを用いて後述する。
【０２９９】
そして、ユーザが、表示部３６０またはデータ表示装置１００の表示部１６０を閲覧して認証情報を知り得た後、認証情報入力画面にて認証情報の入力を行ない（Ｓ５２７）、所定のボタンが押下する等して入力を確定した場合（Ｓ５２９にてＹＥＳ）、認証情報処理部３４２は、該入力された認証情報を認証サーバ４００に送信する（Ｓ５３１）。
【０３００】
なお、データ表示装置１００が、データ読取装置２００から取り外されない間（Ｓ５３３にてＮＯ）、ステップＳ５０３からステップＳ５３１までを繰り返す。
【０３０１】
また、Ｓ５０９にてＮＯ、ステップＳ５１３にてＮＯ、ステップＳ５２３にてＮＯである場合、ステップＳ５３３に遷移する。
【０３０２】
（記憶部書換指示処理の流れ）
次に、図２４を参照しながら、図２３で示したステップＳ５０５における記憶部書換指示処理の流れについて説明する。図２４は、記憶部書換指示処理の流れを示すフローチャートである。
【０３０３】
まず、記憶部書換指示処理部３４３は、書込信号線ＷＲの電位をＨｉｇｈレベルにする指示をデータ読取装置２００に与え、データ読取装置２００からデータ表示装置１００の記憶部１３０へのデータの書き込みが可能な状態とする（Ｓ６１１）。
【０３０４】
続いて、記憶部書換指示処理部３４３は、書換要求コマンドを生成し、該生成した書換要求コマンドを、データ読取装置２００を介してデータ表示装置１００に送信する（Ｓ６１３）。
【０３０５】
そして、書換要求コマンドの応答として、データ表示装置１００から書換失敗コマンドを受信した場合（Ｓ６１５にて“書換失敗コマンド”）、記憶部書換指示処理部３４３は、再度、書換要求コマンドを送信する（Ｓ６１３）。一方、データ表示装置１００から書換成功コマンドを受信した場合（Ｓ６１５にて“書換成功コマンド”）、記憶部書換指示処理部３４３は処理を終了する（RETURN）。
【０３０６】
（表示部更新処理の流れ）
次に、図２５を参照しながら、図２３で示したステップＳ５１１における表示部更新処理の流れについて説明する。図２５は、表示部更新処理の流れを示すフローチャートである。
【０３０７】
まず、表示データ送信処理部３４４は、データ表示装置１００の表示部１６０に画像を表示させるための表示用のデータを生成する（Ｓ７１１）。そして、書込信号線ＷＲの電位をＬｏｗレベルにする指示をデータ読取装置２００に与える（Ｓ７１３）。その後、表示データ送信処理部３４４は、ステップＳ７１１で生成した表示用のデータを、データ表示装置１００に向けて送信し（Ｓ７１５）、処理を終了する（RETURN）。
【０３０８】
（復号表示データ送信処理の流れ）
次に、図２６を参照しながら、図２３で示したステップＳ５２１における復号表示データ送信処理の流れについて説明する。図２６は、復号表示データ送信処理の流れを示すフローチャートである。
【０３０９】
まず、表示データ送信処理部３４４は、データ表示装置１００の表示部１６０に現在表示させている画像が有るか否かを調べる（Ｓ８１１）。そして、データ表示装置１００の表示部１６０に現在表示させている画像が無い場合（Ｓ８１１にてＮＯ）、データ表示装置１００の表示部１６０に、メモリデータ反転モードで認証情報を出力させるか否かに応じて、後続の処理を切り替える（Ｓ８１３）。
【０３１０】
メモリデータ反転モードで認証情報を出力させない場合（Ｓ８１３にてＮＯ）、表示データ送信処理部３４４は、画素メモリ内蔵液晶パネル１６１を構成するラインのうち、認証情報を表示する対象となる１または複数のラインのみを書き換えるためのラインデータを生成する（Ｓ８１５）。
【０３１１】
一方、メモリデータ反転モードで認証情報を出力させる場合（Ｓ８１３にてＹＥＳ）、表示データ送信処理部３４４は、データ表示装置１００の表示部１６０に認証情報を表示させる前に、まず、データ表示装置１００の表示部１６０にパターン画像を表示させるために、スルー表示切替コマンドをデータ表示装置１００に送信するとともに、書込信号線ＷＲの電位をＬｏｗレベルにする（Ｓ８１７）。その後、表示データ送信処理部３４４は、パターン画像をパターン画像記憶部３３３から読み出し、該読み出したパターン画像を表示するためのラインデータをデータ表示装置１００に送信することによって、データ表示装置１００の表示部１６０にパターン画像を表示させる（Ｓ８１９）。続いて、表示データ送信処理部３４４は、認証情報を表示する対象となる１または複数のラインに対して画像を表示するためのラインデータを生成する（Ｓ８２１）。このとき、メモリデータ反転モードで出力することを考慮したラインデータを生成する。なお、メモリデータ反転モードで画像を出力する例については、図２９を用いて後述する。
【０３１２】
一方、データ表示装置１００の表示部１６０に表示させている画像がある場合においても（Ｓ８１１にてＹＥＳ）、表示データ送信処理部３４４は、データ表示装置１００の表示部１６０に、メモリデータ反転モードで認証情報を出力させるか否かに応じて、後続の処理を切り替える（Ｓ８２３）。
【０３１３】
まず、メモリデータ反転モードで認証情報を出力させない場合（Ｓ８２３にてＮＯ）、表示データ送信処理部３４４は、画素メモリ内蔵液晶パネル１６１を構成するラインのうち、認証情報を表示する対象となる１または複数のラインを書き換えるためのラインデータを生成する（Ｓ８２５）。このとき、現在、データ表示装置１００の表示部１６０に表示させている画像と、今回、表示させる認証情報の画像との差分画像を表示するためのラインデータを生成する。
【０３１４】
一方、メモリデータ反転モードで認証情報を出力させる場合（Ｓ８２３にてＹＥＳ）、表示データ送信処理部３４４は、ステップＳ８２５で生成するラインデータと同じラインデータを、メモリデータ反転モードで出力することを考慮して生成する（Ｓ８２７）。
【０３１５】
そして、表示データ送信処理部３４４は、ステップＳ８１５、Ｓ８１２、Ｓ８２５、およびＳ８２７のいずれかにて生成されたラインデータを「データ」フィールドに含む通信コマンドを生成する（Ｓ８２９）。なお、ステップＳ８１５およびＳ８２５を経由している場合、「コマンド種別」フィールドには、「復号表示」を表す“１００１０００”を格納し、一方、ステップＳ８２１またはＳ８２７を経由している場合、「コマンド種別」フィールドには、「復号表示／反転」を表す“１００１００１”を格納する。そして、上記生成した通信コマンドの「データ」フィールドに対して暗号化処理を施す。
【０３１６】
続いて、表示データ送信処理部３４４は、書込信号線ＷＲの電位をＨｉｇｈレベルにする指示をデータ読取装置２００に与える（Ｓ８３１）。そして、上記生成した通信コマンドを、データ表示装置１００に向けて送信し（Ｓ８３３）、処理を終了する（RETURN）。
【０３１７】
（スルー表示データ送信処理の流れ）
次に、図２７を参照しながら、図２３で示したステップＳ５２５におけるスルー表示データ送信処理の流れについて説明する。図２７は、スルー表示データ送信処理の流れを示すフローチャートである。
【０３１８】
まず、表示データ送信処理部３４４は、画素メモリ内蔵液晶パネル１６１を構成するラインのうち、認証情報を表示する対象となる１または複数のラインに画像を表示するためのラインデータを生成する（Ｓ９１１）。次に、データ表示装置１００の表示部１６０にスルー表示モードで表示させるために、スルー表示切替コマンドを、データ表示装置１００に向けて送信するとともに（Ｓ９１３）、書込信号線ＷＲの電位をＬｏｗレベルにする指示をデータ読取装置２００に与える（Ｓ９１５）。
【０３１９】
その後、表示データ送信処理部３４４は、ステップＳ９１１にて生成したラインデータを、データ表示装置１００に向けて送信し（Ｓ９１７）、処理を終了する（RETURN）。
【０３２０】
（メモリデータ反転モードを実現する回路の構成例）
次に、図２８を参照しながら、画素メモリ内蔵液晶パネル１６１の他の構成例について説明する。図２８は、画素メモリ内蔵液晶パネル１６１の他の構成例を示す回路図である。
【０３２１】
同図に示す構成例は、図２に示した構成例とは異なる構成例である。特に、画素メモリ内蔵液晶パネル１６１内のデジタルメモリ素子の出力電位を反転させる制御を行なう構成を設けている。
【０３２２】
同図に示すように、画素メモリ内蔵液晶パネル１６１は、互いに平行に配された複数のカラム側配線Ｃｊ（ｊ＝１，２，３，…，ｎ；ｎは正の整数を示す）と、上記各カラム側配線Ｃｊとそれぞれ略直交（交差）するように配された複数のロウ側配線Ｇｉ（ｉ＝１，２，３，…，ｍ；ｍは正の整数を示す）と、上記各ロウ側配線Ｇｉとそれぞれ略直交（交差）するように配された複数のデータ配線Ｄｊ（ｊ＝１，２，３，…，ｎ；ｎは正の整数を示す）とを有し、ロウ側配線Ｇｉとカラム側配線Ｃｊとの交差部にそれぞれ画素Ａｉｊ（ｉ＝１，２，３，…，ｍ、ｊ＝１，２，３，…，ｎ）が配置され、画素Ａｉｊ毎に、それぞれ、ＴＦＴ（薄膜トランジスタ）７４６，７４７と、デジタルメモリ素子（画素値保持手段）７５２と、電気光学素子としての有機ＥＬ（electro luminescence）素子７４９と、ＴＦＴ７４８とを備えた構成である。なお、ＴＦＴ７４８のソース電極は、電源７３５から予め定められた基準電位が印加される電源供給線７４１に接続されている。
【０３２３】
また、画素メモリ内蔵液晶パネル１６１は、データドライバとしてのデータバッファ７３４と、該データバッファ７３４に接続されたデータ信号線７３９とを備え、データバッファ７３４からデータ信号線７３９を介して上記各データ配線Ｄｊに、上記各デジタルメモリ素子７５２を制御するためのデータ信号を入力するようになっている。
【０３２４】
また、画素メモリ内蔵液晶パネル１６１は、アドレスバッファ７３３と該アドレスバッファ７３３に接続されたアドレス信号線７３６〜７３８とを備え、該アドレス信号線７３６〜７３８の一部であるアドレス信号線７３７と上記カラム側配線Ｃｊとの間には、各カラム側配線Ｃｊに接続され、各カラム側配線Ｃｊを駆動するカラム・アドレス・デコーダ（カラムデコーダ）７３１が設けられている。
【０３２５】
一方、画素メモリ内蔵液晶パネル１６１は、上記アドレス信号線７３６〜７３８における、上記アドレス信号線７３７以外の他のアドレス信号線７３８と上記ロウ側配線Ｇｉとの間には、各ロウ側配線Ｇｉに接続され、各ロウ側配線を駆動するロウ・アドレス・デコーダ（ロウデコーダ）７３２が設けられている。
【０３２６】
そして、画素メモリ内蔵液晶パネル１６１は、さらに、メモリデータ反転モードバッファ７６１と、メモリデータ反転モードバッファ７６１に接続された制御信号線７６２とを備えている。そして、メモリデータ反転モードバッファ７６１を介して制御信号線７６２に印加する電圧に応じて、スイッチ回路ＳＷ１を制御することが可能な構成になっている。具体的には、メモリデータ反転モードバッファ７６１にＨｉｇｈレベルの電圧を印加すると、データ信号線７３９と駆動用信号線７６３とが接続される（ショートされる）構成になっている。一方、メモリデータ反転モードバッファ７６１にＬｏｗレベルの電圧を印加すると、データ信号線７３９と駆動用信号線７６３とが開放される（オープンになる）構成になっている。なお、メモリデータ反転モードバッファ７６１を介して制御信号線７６２にＨｉｇｈレベルの電圧を印加した状態が、メモリデータ反転モードがＯＮの状態であり、また、メモリデータ反転モードバッファ７６１を介して制御信号線７６２にＬｏｗレベルの電圧を印加した状態が、メモリデータ反転モードがＯＦＦの状態である。
【０３２７】
そして、データ信号線７３９と駆動用信号線７６３とが接続されているとき（つまり、制御信号線７６２がＨｉｇｈレベルのとき）は、データ信号線７３９に印加される電圧によって、スイッチ回路ＳＷ２を駆動することが可能な構成になっている。具体的には、データ信号線７３９と駆動用信号線７６３とが接続されているとき、データ信号線７３９にＨｉｇｈレベルの電圧を印加すると、電圧インバータ回路７５３とＴＦＴ７４８とが接続される。したがって、この場合、デジタルメモリ素子７５２の出力電圧が反転されて、ＴＦＴ７４８に印加される。
【０３２８】
一方、（１）データ信号線７３９と駆動用信号線７６３とが接続されていないとき（つまり、制御信号線７６２がＬｏｗレベルのとき）、または、（２）データ信号線７３９と駆動用信号線７６３とが接続されているとき（つまり、制御信号線７６２がＨｉｇｈレベルのとき）であって、かつ、データ信号線７３９にＬｏｗレベルの電圧が印加されているとき、電圧インバータ回路７５３とＴＦＴ７４８とは接続されない。したがって、この場合、デジタルメモリ素子７５２の出力電圧は反転されず、そのままＴＦＴ７４８に印加される。
【０３２９】
以上のように、制御信号線７６２にＨｉｇｈレベルの電圧を印加した状態で、データ信号線７３９にデータ信号を入力することによって、デジタルメモリ素子７５２の出力電圧を反転させて出力することができる。
【０３３０】
次に、表１を参照しながら、デジタルメモリ素子７５２が保持する電圧と、デジタルメモリ素子５２からの出力電圧との関係について、メモリデータ反転モードがＯＮであるか否かに分けて説明する。表１は、デジタルメモリ素子７５２が保持する電圧と、デジタルメモリ素子７５２の出力電圧との関係を示す表である。
【０３３１】
【表１】
2010257149.tif 000003
【０３３２】
表１に示すように、メモリデータ反転モードのとき（ＯＮのとき）、デジタルメモリ素子の出力電圧は、デジタルメモリ素子７５２が保持する電圧を反転した電圧となる。一方、メモリデータ反転モードでないとき（ＯＦＦのとき）、デジタルメモリ素子７５２の出力電圧は、デジタルメモリ素子が保持する電圧と同じである。
【０３３３】
次に、図２９を参照しながら、メモリデータ反転モード時に、画素メモリ内蔵液晶パネル１６１に表示される画像の例について説明する。なお、ここでは、画素メモリ内蔵液晶パネル１６１のうちの、８×８画素（計６４画素）のみを図示している。
【０３３４】
まず、図２９（ａ）は、画素メモリ内蔵液晶パネル１６１に、最終的に表示させる画像を示す模式図である。同図に示すように、画素メモリ内蔵液晶パネル１６１には、最終的に、「２」という文字を表す画像を表示させるものとする。
【０３３５】
次に、図２９（ｂ）は、画素メモリ内蔵液晶パネル１６１に現在表示されている画像を示す模式図である。同図に示すように、画素メモリ内蔵液晶パネル１６１には、白および黒のストライプ状の模様の画像が表示されているものとする。なお、同図に示す画像は、パターン画像記憶部３３３に記憶されているパターン画像の一例である。
【０３３６】
次に、図２９（ｃ）は、図２９（ｂ）に示す画像が画素メモリ内蔵液晶パネル１６１に表示されている状態において、最終的に、図２９（ａ）に示す画像を画素メモリ内蔵液晶パネル１６１に表示するために、メモリデータ反転モードで、画素メモリ内蔵液晶パネル１６１に出力するデータを示す模式図である。つまり、図２９（ｂ）に示す画像を表示している画素メモリ内蔵液晶パネル１６１に、メモリデータ反転モードで、図２９（ｃ）に示すデータを出力すると、図２９（ａ）に示す画像が画素メモリ内蔵液晶パネル１６１に表示される。
【０３３７】
なお、図２９（ｄ）〜（ｆ）は、それぞれ、図２９（ａ）〜（ｃ）で示した各画素の値を２値で示した模式図である。黒色の画素が「１」に対応し、白色の画素が「０」に対応する。
【０３３８】
図２９（ｅ）において「１」を出力している画素に対して、メモリデータ反転モードで「１」を出力すると、その結果、画素値は反転して「０」となり、また、図２９（ｅ）において「０」を出力している画素に対して、メモリデータ反転モードで「１」を出力すると、その結果、画素値は反転して「１」となる（図２９（ｄ）参照）。
【０３３９】
一方、図２９（ｅ）において「１」を出力している画素に対して、メモリデータ反転モードで「０」を出力すると、その結果、画素値は反転せず「１」のままとなり、また、図２９（ｅ）において「０」を出力している画素に対して、メモリデータ反転モードで「０」を出力すると、その結果、画素値は反転せず「０」のままとなる（図２９（ｄ）参照）。
【０３４０】
つまり、ある画素について、表示を反転させる場合は、当該画素に対して、メモリデータ反転モードで「１」を出力し、表示を反転させない場合は、メモリデータ反転モードで「０」を出力すればよい。
【０３４１】
以上のように、メモリデータ反転モードで、図２９（ａ）に示した「２」という文字を表す画像を画素メモリ内蔵液晶パネル１６１に表示させる場合において、現在、図２９（ｂ）に示したストライプ模様の画像が画素メモリ内蔵液晶パネル１６１に表示されているときは、図２９（ｃ）に示したデータを画素メモリ内蔵液晶パネル１６１に出力すればよい。ここで、図２９（ｃ）に示すデータが、例えば、悪意あるユーザに窃取された場合であっても、図２９（ｃ）に示すデータのみから、最終的に「２」という文字を表す画像が表示されることはわからないため、セキュリティのレベルを向上させることができる。
【０３４２】
〔付記事項〕
最後に、データ表示装置１００の制御部１４０、および、クライアント装置３００の制御部３４０は、ハードウェアロジックによって構成してもよいし、次のようにＣＰＵを用いてソフトウェアによって実現してもよい。
【０３４３】
すなわち、データ表示装置１００およびクライアント装置３００は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラム及び各種データを格納するメモリ等の記憶装置（記録媒体）などを備えている。そして、本発明の目的は、上述した機能を実現するソフトウェアであるデータ表示装置１００およびクライアント装置３００の制御プログラムのプログラムコード（実行形式プログラム、中間コードプログラム、ソースプログラム）をコンピュータで読み取り可能に記録した記録媒体を、上記データ表示装置１００およびクライアント装置３００に供給し、そのコンピュータ（またはＣＰＵやＭＰＵ）が記録媒体に記録されているプログラムコードを読み出し実行することによっても、達成可能である。
【０３４４】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０３４５】
また、データ表示装置１００およびクライアント装置３００を通信ネットワークと接続可能に構成し、上記プログラムコードを、通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、ＩＥＥＥ８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０３４６】
本発明は上述した実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０３４７】
本発明は、外部装置と接続可能であって、画像などの表示を行なう装置に適用できる。特に、カードリーダに装着可能な、表示部を備えたＩＣカードに好適に適用できる。
【符号の説明】
【０３４８】
１００  データ表示装置（表示装置）
１３１  ＩＤ記憶部（装置識別情報記憶部）
１４１  データ表示制御部（表示制御手段）
１４２  電源検知部（接続検知手段）
１４５  コマンド処理部（認証表示情報取得手段）
１６０  表示部
１６１  画素メモリ内蔵液晶パネル（表示面）
２００  データ読取装置（操作端末の一部）
３００  クライアント装置（操作端末の一部）
３４２  認証情報処理部
３４４  表示データ送信処理部（認証表示情報送信手段）
３４５  表示装置情報受信処理部（装置識別情報受信手段）
４００  認証サーバ（サービス提供装置）
６１８  デジタルメモリ素子（画素値保持手段）
７５２  デジタルメモリ素子（画素値保持手段）
１０００  認証システム
【図１】
2010257149.tif 000004
【図２】
2010257149.tif 000005
【図３】
2010257149.tif 000006
【図４】
2010257149.tif 000007
【図５】
2010257149.tif 000008
【図６】
2010257149.tif 000009
【図７】
2010257149.tif 000010
【図８】
2010257149.tif 000011
【図９】
2010257149.tif 000012
【図１０】
2010257149.tif 000013
【図１１】
2010257149.tif 000014
【図１２】
2010257149.tif 000015
【図１３】
2010257149.tif 000016
【図１４】
2010257149.tif 000017
【図１５】
2010257149.tif 000018
【図１６】
2010257149.tif 000019
【図１７】
2010257149.tif 000020
【図１８】
2010257149.tif 000021
【図１９】
2010257149.tif 000022
【図２０】
2010257149.tif 000023
【図２１】
2010257149.tif 000024
【図２２】
2010257149.tif 000025
【図２３】
2010257149.tif 000026
【図２４】
2010257149.tif 000027
【図２５】
2010257149.tif 000028
【図２６】
2010257149.tif 000029
【図２７】
2010257149.tif 000030
【図２８】
2010257149.tif 000031
【図２９】
2010257149.tif 000032